(57)【要約】【課題】植播系水田作業機において、機体の後部の後部ステップの上側に粉粒体供給装置を備え、粉粒体供給装置の右又は左の横側部にブロアを備えた場合、エンジンの付近の高温の空気をブロアに案内するダクトを適切に配置する。【解決手段】機体に備えられたエンジンの付近とブロア１４とに亘ってダクト３６を接続して、ブロア１４がエンジンの付近の高温の空気をダクト３６を介して吸引するように構成する。ダクト３６を後部ステップ３３の横側部の外側を上下に通過して後部ステップ３３の下側に入り込むように配置する。【選択図】図１５
2016007151.tif 000002
【特許請求の範囲】
【請求項１】
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込み、且つ、前記後部ステップの横側部に係合する凸部が前記ダクトに備えられることにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が前記後支柱の内側に配置され、
前記ダクトにおける前記後部ステップの横側部に位置する部分が、前記前支柱と前記後支柱との間に配置され、
前記ダクトにおける前記後部ステップの下側に位置する部分が、後輪の外側で、且つ、後輪の外側に備えられた補助後輪の内側を前後方向に配置され、
前記ダクトにおける前記ステップの下側に位置する部分が、前記ステップの下側を左右方向に配置されたフレームの重量軽減孔を通って前後方向に配置され、且つ、前記重量軽減孔の近傍に備えられた連結部材により前記フレームに連結されて、機体の前部の前記エンジンの付近に達しており、
前記ダクトを複数のダクト部分に分割して、一方のダクト部分を他方のダクト部分に挿入するように構成し、前記一方のダクト部分の外面に外側に向く突出部を備え、前記他方のダクト部分の内面に凹入部を備えて、前記一方のダクト部分を前記他方のダクト部分に挿入した状態で前記突出部が前記凹入部に入り込むことにより、前記一方のダクト部分と前記他方のダクト部分とを連結するように構成し、
前記ダクトにおける前記ステップの下側及び前記後部ステップの下側に位置する分割部分を、前記ダクトにおける左右方向に沿った部分に設定して、前記ダクトの分割部分における分割線が前後方向に沿うように構成し、
前記エンジンの動力を伝達する伝動軸を機体の下部に前後方向に配置し、
伝動部材を、前記伝動軸の後部から前記後部ステップの開口部を通して上側に延出し前記粉粒体供給装置に接続して、前記伝動軸の動力を前記伝動部材を介して前記粉粒体供給装置に伝達するように構成している植播系水田作業機。
【請求項２】
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込み、且つ、前記後部ステップの横側部に係合する凸部が前記ダクトに備えられることにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が前記後支柱の内側に配置され、
前記ダクトにおける前記後部ステップの横側部に位置する部分が、前記前支柱と前記後支柱との間に配置され、
前記ダクトにおける前記後部ステップの下側に位置する部分が、後輪の外側で、且つ、後輪の外側に備えられた補助後輪の内側を前後方向に配置され、
前記ダクトにおける前記ステップの下側に位置する部分が、前記ステップの下側を左右方向に配置されたフレームの重量軽減孔を通って前後方向に配置され、且つ、前記重量軽減孔の近傍に備えられた連結部材により前記フレームに連結されて、機体の前部の前記エンジンの付近に達しており、
前記ダクトを複数のダクト部分に分割して、一方のダクト部分を他方のダクト部分に挿入するように構成し、前記一方のダクト部分の外面に外側に向く突出部を備え、前記他方のダクト部分の内面に凹入部を備えて、前記一方のダクト部分を前記他方のダクト部分に挿入した状態で前記突出部が前記凹入部に入り込むことにより、前記一方のダクト部分と前記他方のダクト部分とを連結するように構成し、
前記ダクトにおける前記ステップの下側及び前記後部ステップの下側に位置する分割部分を、前記ダクトにおける左右方向に沿った部分に設定して、前記ダクトの分割部分における分割線が前後方向に沿うように構成している植播系水田作業機。
【請求項３】
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込み、且つ、前記後部ステップの横側部に係合する凸部が前記ダクトに備えられることにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が、前記後支柱の内側に配置され、
前記ダクトにおける前記後部ステップの横側部に位置する部分が、前記前支柱と前記後支柱との間に配置され、
前記ダクトにおける前記後部ステップの下側に位置する部分が、後輪の外側で、且つ、後輪の外側に備えられた補助後輪の内側を前後方向に配置され、
前記ダクトにおける前記ステップの下側に位置する部分が、前記ステップの下側を左右方向に配置されたフレームの重量軽減孔を通って前後方向に配置され、且つ、前記重量軽減孔の近傍に備えられた連結部材により前記フレームに連結されて、機体の前部の前記エンジンの付近に達しており、
前記ダクトを複数のダクト部分に分割して、一方のダクト部分を他方のダクト部分に挿入することにより、前記一方のダクト部分と前記他方のダクト部分とを連結するように構成し、
前記ダクトにおける前記ステップの下側及び前記後部ステップの下側に位置する分割部分を、前記ダクトにおける左右方向に沿った部分に設定して、前記ダクトの分割部分における分割線が前後方向に沿うように構成している植播系水田作業機。
【請求項４】
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込み、且つ、前記後部ステップの横側部に係合する凸部が前記ダクトに備えられることにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が、前記後支柱の内側に配置され、
前記ダクトにおける前記後部ステップの横側部に位置する部分が、前記前支柱と前記後支柱との間に配置され、
前記ダクトにおける前記後部ステップの下側に位置する部分が、後輪の外側で、且つ、後輪の外側に備えられた補助後輪の内側を前後方向に配置され、
前記ダクトにおける前記ステップの下側に位置する部分が、前記ステップの下側を左右方向に配置されたフレームの重量軽減孔を通って前後方向に配置され、且つ、前記重量軽減孔の近傍に備えられた連結部材により前記フレームに連結されて、機体の前部の前記エンジンの付近に達している植播系水田作業機。
【請求項５】
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込むことにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が、前記後支柱の内側に配置され、
前記ダクトにおける前記後部ステップの横側部に位置する部分が、前記前支柱と前記後支柱との間に配置され、
前記ダクトにおける前記後部ステップの下側に位置する部分が、後輪の外側で、且つ、後輪の外側に備えられた補助後輪の内側を前後方向に配置され、
前記ダクトにおける前記ステップの下側に位置する部分が、前記ステップの下側を左右方向に配置されたフレームの重量軽減孔を通って前後方向に配置され、且つ、前記重量軽減孔の近傍に備えられた連結部材により前記フレームに連結されて、機体の前部の前記エンジンの付近に達している植播系水田作業機。
【請求項６】
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込むことにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が、前記後支柱の内側に配置され、
前記ダクトにおける前記後部ステップの横側部に位置する部分が、前記前支柱と前記後支柱との間に配置され、
前記ダクトにおける前記後部ステップの下側に位置する部分が、後輪の外側で、且つ、後輪の外側に備えられた補助後輪の内側を前後方向に配置され、
前記ダクトにおける前記ステップの下側に位置する部分が、前記ステップの下側を左右方向に配置されたフレームの重量軽減孔を通って前後方向に配置されて、機体の前部の前記エンジンの付近に達している植播系水田作業機。
【請求項７】
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又はの左横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込むことにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が、前記後支柱の内側に配置され、
前記ダクトにおける前記後部ステップの横側部に位置する部分が、前記前支柱と前記後支柱との間に配置され、
前記ダクトにおける前記後部ステップの下側に位置する部分が、後輪の外側で、且つ、後輪の外側に備えられた補助後輪の内側を前後方向に配置されている植播系水田作業機。
【請求項８】
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込むことにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が、前記後支柱の内側に配置され、
前記ダクトにおける前記後部ステップの横側部に位置する部分が、前記前支柱と前記後支柱との間に配置され、
前記ダクトにおける前記後部ステップの下側に位置する部分が、後輪の外側を前後方向に配置されている植播系水田作業機。
【請求項９】
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込むことにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が、前記後支柱の内側に配置され、
前記ダクトにおける前記後部ステップの横側部に位置する部分が、前記前支柱と前記後支柱との間に配置されている植播系水田作業機。
【請求項１０】
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込むことにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が、前記後支柱の内側に配置されている植播系水田作業機。
【請求項１１】
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込むことにより、前記ダクトが前記後部ステップに支持されている植播系水田作業機。
【請求項１２】
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置されている植播系水田作業機。
【発明の詳細な説明】
【技術分野】
【０００１】
本発明は、機体の後部に苗植付装置や直播装置等の植播系作業装置を昇降自在に支持した植播系水田作業機に関する。
【背景技術】
【０００２】
植播系水田作業機の一例である乗用型田植機において、特許文献１に開示されているように、機体の後部に苗植付装置（植播系作業装置に相当）（特許文献１の図１及び図２の３）を昇降自在に支持し、運転部のステップ（特許文献１の図１及び図２の１８，１９）を備え、ステップよりも高い位置に配置された後部ステップ（特許文献１の図１及び図２の２０）を、機体の後部に備えたものがある。
【０００３】
特許文献１では、施肥装置（粉粒体供給装置に相当）（特許文献１の図１及び図２の２）を後部ステップの上側に備えており、苗植付装置に備えられた供給部（特許文献１の図１及び図２の８１）と施肥装置とに亘って、ホース（特許文献１の図１及び図２の８２）を接続して、施肥装置の下側にブロア（特許文献１の図１及び図２の１０４）を備えている。これにより、ブロアから施肥装置に供給された搬送風により、施肥装置から繰り出された肥料（粉粒体に相当）が、ホースを通り供給部を介して田面に供給される。
【０００４】
一般に肥料等の粉粒体は水分を含むと各部に付着し易くなり、粉粒体の付着が粉粒体の詰まりに発展する可能性がある。
これにより特許文献１では、ブロアとエンジンの付近とに亘ってダクト（特許文献１の図２の１０５）を接続することによって、ブロアがエンジンの付近の高温の空気をダクトを介して吸引して施肥装置に供給するように構成しており、高温の空気により肥料及び肥料が通る部分を乾燥させるようにしている。
【先行技術文献】
【特許文献】
【０００５】
【特許文献１】特開２０１３−４２７１６号公報
【特許文献２】特開２０００−３７１２０号公報
【発明の概要】
【発明が解決しようとする課題】
【０００６】
特許文献１では、施肥装置の下側にブロアが備えられているのに対して、特許文献２に開示されているように、施肥装置（特許文献２の図１，２，３のＡ）の左の横側部に、ブロア（特許文献２の図１，２，３の２０）を備えたものがある。
【０００７】
本発明は、機体の後部に植播系作業装置を昇降自在に支持した植播系水田作業機において、機体の後部の後部ステップの上側に粉粒体供給装置を備え、粉粒体供給装置の右又は左の横側部にブロアを備えた場合、エンジンの付近の高温の空気をブロアに案内するダクトを適切に配置することができるように構成することを目的としている。
【課題を解決するための手段】
【０００８】
［Ｉ］
（構成）
本発明の第１特徴は、植播系水田作業機において次のように構成することにある。
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込み、且つ、前記後部ステップの横側部に係合する凸部が前記ダクトに備えられることにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が前記後支柱の内側に配置され、
前記ダクトにおける前記後部ステップの横側部に位置する部分が、前記前支柱と前記後支柱との間に配置され、
前記ダクトにおける前記後部ステップの下側に位置する部分が、後輪の外側で、且つ、後輪の外側に備えられた補助後輪の内側を前後方向に配置され、
前記ダクトにおける前記ステップの下側に位置する部分が、前記ステップの下側を左右方向に配置されたフレームの重量軽減孔を通って前後方向に配置され、且つ、前記重量軽減孔の近傍に備えられた連結部材により前記フレームに連結されて、機体の前部の前記エンジンの付近に達しており、
前記ダクトを複数のダクト部分に分割して、一方のダクト部分を他方のダクト部分に挿入するように構成し、前記一方のダクト部分の外面に外側に向く突出部を備え、前記他方のダクト部分の内面に凹入部を備えて、前記一方のダクト部分を前記他方のダクト部分に挿入した状態で前記突出部が前記凹入部に入り込むことにより、前記一方のダクト部分と前記他方のダクト部分とを連結するように構成し、
前記ダクトにおける前記ステップの下側及び前記後部ステップの下側に位置する分割部分を、前記ダクトにおける左右方向に沿った部分に設定して、前記ダクトの分割部分における分割線が前後方向に沿うように構成し、
前記エンジンの動力を伝達する伝動軸を機体の下部に前後方向に配置し、
伝動部材を、前記伝動軸の後部から前記後部ステップの開口部を通して上側に延出し前記粉粒体供給装置に接続して、前記伝動軸の動力を前記伝動部材を介して前記粉粒体供給装置に伝達するように構成している植播系水田作業機。
【０００９】
（作用及び発明の効果）
［Ｉ］−１
植播系水田作業機において、機体の後部の後部ステップの上側に粉粒体供給装置を備えて、粉粒体供給装置の右又は左の横側部にブロアを備えた場合、ダクトを通す為の開口部を後部ステップに形成しないとすれば、ブロアから延出されたダクトを、後部ステップの後側部の後側を上下に通過させて後部ステップに下側に入り込ませて、エンジンの付近に到達させることが考えられる。
【００１０】
しかしながら前述のように構成すると、後部ステップの後側部から後側にダクトが突出する状態となるので、機体の後部の植播系作業装置を昇降させた場合、植播系作業装置がダクトに接触する可能性が生じる。
従って、植播系作業装置とダクトとの接触を避ける為に、植播系作業装置を機体から後側に離して配置すれば、機体の前部から植播系作業装置の後部までの植播系水田作業機の全長が長くなって、全体のバランスという面で好ましくない。
【００１１】
これに対して、本発明の第１特徴によると、エンジンの付近とブロアとに亘ってダクトを接続する場合、ダクトを後部ステップの横側部の外側を上下に通過して後部ステップの下側に入り込むように配置している。
これにより、後部ステップの後側部から後側にダクトが突出する状態とはならず、機体の後部の植播系作業装置を昇降させても、植播系作業装置がダクトに接触する可能性は生じない。従って、植播系作業装置を機体から後側に離して配置する必要が無く、機体の前部から植播系作業装置の後部までの植播系水田作業機の全長を適切な長さに設定できて、全体のバランスを良いものに設定することができる。
【００１２】
［Ｉ］−２
本発明の第１特徴によると、ダクトにおける後部ステップの横側部に位置する部分が後部ステップの横側部の上部及び下部を挟み込むことにより、ダクトが後部ステップに支持されるように構成しているので、ダクトを固定する為のボルト等の固定部材を省略することができて（少なくすることができて）、部品点数の削減を図ることができる。
この場合、本発明の第１特徴によると、後部ステップの横側部に係合する凸部をダクトに備えているので、後部ステップによるダクトの支持強度をさらに高めることができる。
【００１３】
［Ｉ］−３
植播系水田作業機では、後部ステップの横側部や後側部に手摺りを備えたものがある。
本発明の第１特徴によると、後部ステップの横側部の手摺りに対して、ダクトにおける後部ステップの上側に位置する部分が手摺りの後支柱の内側に配置されており、ダクトにおける後部ステップの上側に位置する部分が、手摺りの後支柱により外側から保護された状態となっている。これにより、ダクトにおける後部ステップの上側に位置する部分の破損防止という面で有利なものとなる。
【００１４】
［Ｉ］−４
本発明の第１特徴によると、後部ステップの横側部の手摺りに対して、ダクトにおける後部ステップの横側部に位置する部分が、手摺りの前支柱と後支柱との間に配置されており、ダクトにおける後部ステップの上側に位置する部分が、手摺りの前及び後支柱により前側及び後側から保護された状態となっている。これにより、ダクトにおける後部ステップの上側に位置する部分の破損防止という面で有利なものとなる。
【００１５】
［Ｉ］−５
植播系水田作業機では、後部ステップの下側に後輪が位置することが多く、右及び左の後輪がローリング自在に支持されたり、右及び左の後輪がサスペンション機構を介して支持されたりして、機体に対して後輪が上下動することがある。さらに、深い水田や軟弱な水田に対応する為に、後輪の外側に補助後輪を連結することがある。
【００１６】
本発明の第１特徴によると、ダクトにおける後部ステップの下側に位置する部分が、後部ステップの下側部から下側に突出する状態となっても、ダクトにおける後部ステップの下側に位置する部分が、後輪の外側で且つ補助後輪の内側を前後方向に配置されている。
これにより、前述のように機体に対して後輪及び補助後輪が上下動しても、後輪及び補助後輪がダクトにおける後部ステップの下側に位置する部分に接触することがなく、ダクトにおける後部ステップの下側に位置する部分の破損防止という面で有利なものとなる。
【００１７】
［Ｉ］−６
機体の前部にエンジンが備えられている場合、ダクトが後部ステップの横側部の外側を上下に通過して後部ステップの下側に入り込むように配置されると、ダクトにおけるステップの下側に位置する部分が前後方向に配置されて、機体の前部のエンジンの付近に達する状態となる。
【００１８】
本発明の第１特徴によると、ダクトにおけるステップの下側に位置する部分が、ステップの下側を左右方向に配置されたフレームの重量軽減孔を通って前後方向に配置されている。このように、既存の構成といってよいフレームの重量軽減孔の空間を有効に利用することにより、ダクトにおけるステップの下側に位置する部分を無理なく配置することができる。
【００１９】
［Ｉ］−７
前項［Ｉ］−６に記載の状態において、ダクトにおけるステップの下側に位置する部分がフレームの重量軽減孔を通ることにより、ダクトにおけるステップの下側に位置する部分と、フレームの重量軽減孔の近傍とが接近した状態となる。
【００２０】
本発明の第１特徴のように、フレームの重量軽減孔の近傍に備えられた連結部材によって、ダクトにおけるステップの下側に位置する部分をフレームに連結することにより、比較的小さな連結部材によって、ダクトにおけるステップの下側に位置する部分をフレームに連結することができるので、構造の簡素化の面で有利なものとなる。
【００２１】
［Ｉ］−８
機体の前部のエンジンとブロアとに亘ってダクトを接続する場合、ダクトが比較的長くなるので、ダクトを複数のダクト部分に分割して構成することがある。この場合、一方のダクト部分を他方のダクト部分に挿入することにより、一方のダクト部分と他方のダクト部分とを連結するように構成することがある。
【００２２】
本発明の第１特徴によると、ダクトにおけるステップの下側及び後部ステップの下側に位置する分割部分を、ダクトにおける左右方向に沿った部分に設定して、ダクトの分割部分における分割線が前後方向に沿うように構成している。
これにより、ダクト部分の差し込み部は左右方向に向く状態となるので、前輪や後輪等から泥や水が前後方向に飛散したとしても、ダクト部分の差し込み部と前輪や後輪等からの泥や水の飛散方向とが交差する状態となって、前輪や後輪等から飛散した泥や水がダクト部分の差し込み部からダクトの内部に入り込むようなことは少ない。
【００２３】
［Ｉ］−９
前項［Ｉ］−８に記載のように、ダクトを複数のダクト部分に分割して構成して、一方のダクト部分を他方のダクト部分に挿入することにより、一方のダクト部分と他方のダクト部分とを連結するように構成した場合、本発明の第１特徴によると、一方のダクト部分の外面に外側に向く突出部を備え、他方のダクト部分の内面に凹入部を備えて、一方のダクト部分を他方のダクト部分に挿入した状態で突出部が凹入部に入り込むことにより、一方のダクト部分と他方のダクト部分とを連結するように構成している。
【００２４】
これにより、ダクト部分の差し込み部の連結強度を高めることができ、ダクト部分の差し込み部のシール性を高めることができるので、前輪や後輪等から飛散した泥や水がダクト部分の差し込み部からダクトの内部に入り込む状態を少なくすることができる。
一方のダクト部分を他方のダクト部分に挿入した状態で突出部が凹入部に入り込んだ場合、突出部及び凹入部がダクト部分から外側に出る状態となるので、突出部及び凹入部によりダクトの断面積が小さくなることはなく、ブロアがエンジンの付近の高温の空気をダクトを介して吸引する際に突出部及び凹入部が抵抗になることはない。
【００２５】
［Ｉ］−１０
粉粒体供給装置に動力を伝達する場合、エンジンの動力を伝達する伝動軸を機体の下部に前後方向に配置し、伝動軸の後部と上側の粉粒体供給装置とに亘って伝動部材（上下に往復作動するロッドや回転する伝動軸等）を接続して、伝動軸の動力を伝動部材を介して粉粒体供給装置に伝達するように構成することがある。
【００２６】
本発明の第１特徴によると、粉粒体供給装置の下側（粉粒体供給装置と伝動軸との間）に位置する後部ステップに開口部を形成しており、伝動部材を伝動軸の後部から後部ステップの開口部を通して上側に延出し粉粒体供給装置に接続している。これにより、伝動部材の外周部が後部ステップにより囲まれて保護された状態となるので、伝動部材の破損防止という面で有利なものとなる。
【００２７】
［ＩＩ］
（構成）
本発明の第２特徴は、植播系水田作業機において次のように構成することにある。
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込み、且つ、前記後部ステップの横側部に係合する凸部が前記ダクトに備えられることにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が前記後支柱の内側に配置され、
前記ダクトにおける前記後部ステップの横側部に位置する部分が、前記前支柱と前記後支柱との間に配置され、
前記ダクトにおける前記後部ステップの下側に位置する部分が、後輪の外側で、且つ、後輪の外側に備えられた補助後輪の内側を前後方向に配置され、
前記ダクトにおける前記ステップの下側に位置する部分が、前記ステップの下側を左右方向に配置されたフレームの重量軽減孔を通って前後方向に配置され、且つ、前記重量軽減孔の近傍に備えられた連結部材により前記フレームに連結されて、機体の前部の前記エンジンの付近に達しており、
前記ダクトを複数のダクト部分に分割して、一方のダクト部分を他方のダクト部分に挿入するように構成し、前記一方のダクト部分の外面に外側に向く突出部を備え、前記他方のダクト部分の内面に凹入部を備えて、前記一方のダクト部分を前記他方のダクト部分に挿入した状態で前記突出部が前記凹入部に入り込むことにより、前記一方のダクト部分と前記他方のダクト部分とを連結するように構成し、
前記ダクトにおける前記ステップの下側及び前記後部ステップの下側に位置する分割部分を、前記ダクトにおける左右方向に沿った部分に設定して、前記ダクトの分割部分における分割線が前後方向に沿うように構成している。
【００２８】
（作用及び発明の効果）
［ＩＩ］−１
植播系水田作業機において、機体の後部の後部ステップの上側に粉粒体供給装置を備えて、粉粒体供給装置の右又は左の横側部にブロアを備えた場合、ダクトを通す為の開口部を後部ステップに形成しないとすれば、ブロアから延出されたダクトを、後部ステップの後側部の後側を上下に通過させて後部ステップに下側に入り込ませて、エンジンの付近に到達させることが考えられる。
【００２９】
しかしながら前述のように構成すると、後部ステップの後側部から後側にダクトが突出する状態となるので、機体の後部の植播系作業装置を昇降させた場合、植播系作業装置がダクトに接触する可能性が生じる。
従って、植播系作業装置とダクトとの接触を避ける為に、植播系作業装置を機体から後側に離して配置すれば、機体の前部から植播系作業装置の後部までの植播系水田作業機の全長が長くなって、全体のバランスという面で好ましくない。
【００３０】
これに対して、本発明の第２特徴によると、エンジンの付近とブロアとに亘ってダクトを接続する場合、ダクトを後部ステップの横側部の外側を上下に通過して後部ステップの下側に入り込むように配置している。
これにより、後部ステップの後側部から後側にダクトが突出する状態とはならず、機体の後部の植播系作業装置を昇降させても、植播系作業装置がダクトに接触する可能性は生じない。従って、植播系作業装置を機体から後側に離して配置する必要が無く、機体の前部から植播系作業装置の後部までの植播系水田作業機の全長を適切な長さに設定できて、全体のバランスを良いものに設定することができる。
【００３１】
［ＩＩ］−２
本発明の第２特徴によると、ダクトにおける後部ステップの横側部に位置する部分が後部ステップの横側部の上部及び下部を挟み込むことにより、ダクトが後部ステップに支持されるように構成しているので、ダクトを固定する為のボルト等の固定部材を省略することができて（少なくすることができて）、部品点数の削減を図ることができる。
この場合、本発明の第２特徴によると、後部ステップの横側部に係合する凸部をダクトに備えているので、後部ステップによるダクトの支持強度をさらに高めることができる。
【００３２】
［ＩＩ］−３
植播系水田作業機では、後部ステップの横側部や後側部に手摺りを備えたものがある。
本発明の第２特徴によると、後部ステップの横側部の手摺りに対して、ダクトにおける後部ステップの上側に位置する部分が手摺りの後支柱の内側に配置されており、ダクトにおける後部ステップの上側に位置する部分が、手摺りの後支柱により外側から保護された状態となっている。これにより、ダクトにおける後部ステップの上側に位置する部分の破損防止という面で有利なものとなる。
【００３３】
［ＩＩ］−４
本発明の第２特徴によると、後部ステップの横側部の手摺りに対して、ダクトにおける後部ステップの横側部に位置する部分が、手摺りの前支柱と後支柱との間に配置されており、ダクトにおける後部ステップの上側に位置する部分が、手摺りの前及び後支柱により前側及び後側から保護された状態となっている。これにより、ダクトにおける後部ステップの上側に位置する部分の破損防止という面で有利なものとなる。
【００３４】
［ＩＩ］−５
植播系水田作業機では、後部ステップの下側に後輪が位置することが多く、右及び左の後輪がローリング自在に支持されたり、右及び左の後輪がサスペンション機構を介して支持されたりして、機体に対して後輪が上下動することがある。さらに、深い水田や軟弱な水田に対応する為に、後輪の外側に補助後輪を連結することがある。
【００３５】
本発明の第２特徴によると、ダクトにおける後部ステップの下側に位置する部分が、後部ステップの下側部から下側に突出する状態となっても、ダクトにおける後部ステップの下側に位置する部分が、後輪の外側で且つ補助後輪の内側を前後方向に配置されている。
これにより、前述のように機体に対して後輪及び補助後輪が上下動しても、後輪及び補助後輪がダクトにおける後部ステップの下側に位置する部分に接触することがなく、ダクトにおける後部ステップの下側に位置する部分の破損防止という面で有利なものとなる。
【００３６】
［ＩＩ］−６
機体の前部にエンジンが備えられている場合、ダクトが後部ステップの横側部の外側を上下に通過して後部ステップの下側に入り込むように配置されると、ダクトにおけるステップの下側に位置する部分が前後方向に配置されて、機体の前部のエンジンの付近に達する状態となる。
【００３７】
本発明の第２特徴によると、ダクトにおけるステップの下側に位置する部分が、ステップの下側を左右方向に配置されたフレームの重量軽減孔を通って前後方向に配置されている。このように、既存の構成といってよいフレームの重量軽減孔の空間を有効に利用することにより、ダクトにおけるステップの下側に位置する部分を無理なく配置することができる。
【００３８】
［ＩＩ］−７
前項［ＩＩ］−６に記載の状態において、ダクトにおけるステップの下側に位置する部分がフレームの重量軽減孔を通ることにより、ダクトにおけるステップの下側に位置する部分と、フレームの重量軽減孔の近傍とが接近した状態となる。
【００３９】
本発明の第２特徴のように、フレームの重量軽減孔の近傍に備えられた連結部材によって、ダクトにおけるステップの下側に位置する部分をフレームに連結することにより、比較的小さな連結部材によって、ダクトにおけるステップの下側に位置する部分をフレームに連結することができるので、構造の簡素化の面で有利なものとなる。
【００４０】
［ＩＩ］−８
機体の前部のエンジンとブロアとに亘ってダクトを接続する場合、ダクトが比較的長くなるので、ダクトを複数のダクト部分に分割して構成することがある。この場合、一方のダクト部分を他方のダクト部分に挿入することにより、一方のダクト部分と他方のダクト部分とを連結するように構成することがある。
【００４１】
本発明の第２特徴によると、ダクトにおけるステップの下側及び後部ステップの下側に位置する分割部分を、ダクトにおける左右方向に沿った部分に設定して、ダクトの分割部分における分割線が前後方向に沿うように構成している。
これにより、ダクト部分の差し込み部は左右方向に向く状態となるので、前輪や後輪等から泥や水が前後方向に飛散したとしても、ダクト部分の差し込み部と前輪や後輪等からの泥や水の飛散方向とが交差する状態となって、前輪や後輪等から飛散した泥や水がダクト部分の差し込み部からダクトの内部に入り込むようなことは少ない。
【００４２】
［ＩＩ］−９
前項［ＩＩ］−８に記載のように、ダクトを複数のダクト部分に分割して構成して、一方のダクト部分を他方のダクト部分に挿入することにより、一方のダクト部分と他方のダクト部分とを連結するように構成した場合、本発明の第２特徴によると、一方のダクト部分の外面に外側に向く突出部を備え、他方のダクト部分の内面に凹入部を備えて、一方のダクト部分を他方のダクト部分に挿入した状態で突出部が凹入部に入り込むことにより、一方のダクト部分と他方のダクト部分とを連結するように構成している。
【００４３】
これにより、ダクト部分の差し込み部の連結強度を高めることができ、ダクト部分の差し込み部のシール性を高めることができるので、前輪や後輪等から飛散した泥や水がダクト部分の差し込み部からダクトの内部に入り込む状態を少なくすることができる。
一方のダクト部分を他方のダクト部分に挿入した状態で突出部が凹入部に入り込んだ場合、突出部及び凹入部がダクト部分から外側に出る状態となるので、突出部及び凹入部によりダクトの断面積が小さくなることはなく、ブロアがエンジンの付近の高温の空気をダクトを介して吸引する際に突出部及び凹入部が抵抗になることはない。
【００４４】
［ＩＩＩ］
（構成）
本発明の第３特徴は、植播系水田作業機において次のように構成することにある。
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込み、且つ、前記後部ステップの横側部に係合する凸部が前記ダクトに備えられることにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が、前記後支柱の内側に配置され、
前記ダクトにおける前記後部ステップの横側部に位置する部分が、前記前支柱と前記後支柱との間に配置され、
前記ダクトにおける前記後部ステップの下側に位置する部分が、後輪の外側で、且つ、後輪の外側に備えられた補助後輪の内側を前後方向に配置され、
前記ダクトにおける前記ステップの下側に位置する部分が、前記ステップの下側を左右方向に配置されたフレームの重量軽減孔を通って前後方向に配置され、且つ、前記重量軽減孔の近傍に備えられた連結部材により前記フレームに連結されて、機体の前部の前記エンジンの付近に達しており、
前記ダクトを複数のダクト部分に分割して、一方のダクト部分を他方のダクト部分に挿入することにより、前記一方のダクト部分と前記他方のダクト部分とを連結するように構成し、
前記ダクトにおける前記ステップの下側及び前記後部ステップの下側に位置する分割部分を、前記ダクトにおける左右方向に沿った部分に設定して、前記ダクトの分割部分における分割線が前後方向に沿うように構成している。
【００４５】
（作用及び発明の効果）
［ＩＩＩ］−１
植播系水田作業機において、機体の後部の後部ステップの上側に粉粒体供給装置を備えて、粉粒体供給装置の右又は左の横側部にブロアを備えた場合、ダクトを通す為の開口部を後部ステップに形成しないとすれば、ブロアから延出されたダクトを、後部ステップの後側部の後側を上下に通過させて後部ステップに下側に入り込ませて、エンジンの付近に到達させることが考えられる。
【００４６】
しかしながら前述のように構成すると、後部ステップの後側部から後側にダクトが突出する状態となるので、機体の後部の植播系作業装置を昇降させた場合、植播系作業装置がダクトに接触する可能性が生じる。
従って、植播系作業装置とダクトとの接触を避ける為に、植播系作業装置を機体から後側に離して配置すれば、機体の前部から植播系作業装置の後部までの植播系水田作業機の全長が長くなって、全体のバランスという面で好ましくない。
【００４７】
これに対して、本発明の第３特徴によると、エンジンの付近とブロアとに亘ってダクトを接続する場合、ダクトを後部ステップの横側部の外側を上下に通過して後部ステップの下側に入り込むように配置している。
これにより、後部ステップの後側部から後側にダクトが突出する状態とはならず、機体の後部の植播系作業装置を昇降させても、植播系作業装置がダクトに接触する可能性は生じない。従って、植播系作業装置を機体から後側に離して配置する必要が無く、機体の前部から植播系作業装置の後部までの植播系水田作業機の全長を適切な長さに設定できて、全体のバランスを良いものに設定することができる。
【００４８】
［ＩＩＩ］−２
本発明の第３特徴によると、ダクトにおける後部ステップの横側部に位置する部分が後部ステップの横側部の上部及び下部を挟み込むことにより、ダクトが後部ステップに支持されるように構成しているので、ダクトを固定する為のボルト等の固定部材を省略することができて（少なくすることができて）、部品点数の削減を図ることができる。
この場合、本発明の第３特徴によると、後部ステップの横側部に係合する凸部をダクトに備えているので、後部ステップによるダクトの支持強度をさらに高めることができる。
【００４９】
［ＩＩＩ］−３
植播系水田作業機では、後部ステップの横側部や後側部に手摺りを備えたものがある。
本発明の第３特徴によると、後部ステップの横側部の手摺りに対して、ダクトにおける後部ステップの上側に位置する部分が手摺りの後支柱の内側に配置されており、ダクトにおける後部ステップの上側に位置する部分が、手摺りの後支柱により外側から保護された状態となっている。これにより、ダクトにおける後部ステップの上側に位置する部分の破損防止という面で有利なものとなる。
【００５０】
［ＩＩＩ］−４
本発明の第３特徴によると、後部ステップの横側部の手摺りに対して、ダクトにおける後部ステップの横側部に位置する部分が、手摺りの前支柱と後支柱との間に配置されており、ダクトにおける後部ステップの上側に位置する部分が、手摺りの前及び後支柱により前側及び後側から保護された状態となっている。これにより、ダクトにおける後部ステップの上側に位置する部分の破損防止という面で有利なものとなる。
【００５１】
［ＩＩＩ］−５
植播系水田作業機では、後部ステップの下側に後輪が位置することが多く、右及び左の後輪がローリング自在に支持されたり、右及び左の後輪がサスペンション機構を介して支持されたりして、機体に対して後輪が上下動することがある。さらに、深い水田や軟弱な水田に対応する為に、後輪の外側に補助後輪を連結することがある。
【００５２】
本発明の第３特徴によると、ダクトにおける後部ステップの下側に位置する部分が、後部ステップの下側部から下側に突出する状態となっても、ダクトにおける後部ステップの下側に位置する部分が、後輪の外側で且つ補助後輪の内側を前後方向に配置されている。
これにより、前述のように機体に対して後輪及び補助後輪が上下動しても、後輪及び補助後輪がダクトにおける後部ステップの下側に位置する部分に接触することがなく、ダクトにおける後部ステップの下側に位置する部分の破損防止という面で有利なものとなる。
【００５３】
［ＩＩＩ］−６
機体の前部にエンジンが備えられている場合、ダクトが後部ステップの横側部の外側を上下に通過して後部ステップの下側に入り込むように配置されると、ダクトにおけるステップの下側に位置する部分が前後方向に配置されて、機体の前部のエンジンの付近に達する状態となる。
【００５４】
本発明の第３特徴によると、ダクトにおけるステップの下側に位置する部分が、ステップの下側を左右方向に配置されたフレームの重量軽減孔を通って前後方向に配置されている。このように、既存の構成といってよいフレームの重量軽減孔の空間を有効に利用することにより、ダクトにおけるステップの下側に位置する部分を無理なく配置することができる。
【００５５】
［ＩＩＩ］−７
前項［ＩＩＩ］−６に記載の状態において、ダクトにおけるステップの下側に位置する部分がフレームの重量軽減孔を通ることにより、ダクトにおけるステップの下側に位置する部分と、フレームの重量軽減孔の近傍とが接近した状態となる。
【００５６】
本発明の第３特徴のように、フレームの重量軽減孔の近傍に備えられた連結部材によって、ダクトにおけるステップの下側に位置する部分をフレームに連結することにより、比較的小さな連結部材によって、ダクトにおけるステップの下側に位置する部分をフレームに連結することができるので、構造の簡素化の面で有利なものとなる。
【００５７】
［ＩＩＩ］−８
機体の前部のエンジンとブロアとに亘ってダクトを接続する場合、ダクトが比較的長くなるので、ダクトを複数のダクト部分に分割して構成することがある。この場合、一方のダクト部分を他方のダクト部分に挿入することにより、一方のダクト部分と他方のダクト部分とを連結するように構成することがある。
【００５８】
本発明の第３特徴によると、ダクトにおけるステップの下側及び後部ステップの下側に位置する分割部分を、ダクトにおける左右方向に沿った部分に設定して、ダクトの分割部分における分割線が前後方向に沿うように構成している。
これにより、ダクト部分の差し込み部は左右方向に向く状態となるので、前輪や後輪等から泥や水が前後方向に飛散したとしても、ダクト部分の差し込み部と前輪や後輪等からの泥や水の飛散方向とが交差する状態となって、前輪や後輪等から飛散した泥や水がダクト部分の差し込み部からダクトの内部に入り込むようなことは少ない。
【００５９】
［ＩＶ］
（構成）
本発明の第４特徴は、植播系水田作業機において次のように構成することにある。
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込み、且つ、前記後部ステップの横側部に係合する凸部が前記ダクトに備えられることにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が、前記後支柱の内側に配置され、
前記ダクトにおける前記後部ステップの横側部に位置する部分が、前記前支柱と前記後支柱との間に配置され、
前記ダクトにおける前記後部ステップの下側に位置する部分が、後輪の外側で、且つ、後輪の外側に備えられた補助後輪の内側を前後方向に配置され、
前記ダクトにおける前記ステップの下側に位置する部分が、前記ステップの下側を左右方向に配置されたフレームの重量軽減孔を通って前後方向に配置され、且つ、前記重量軽減孔の近傍に備えられた連結部材により前記フレームに連結されて、機体の前部の前記エンジンの付近に達している。
【００６０】
（作用及び発明の効果）
［ＩＶ］−１
植播系水田作業機において、機体の後部の後部ステップの上側に粉粒体供給装置を備えて、粉粒体供給装置の右又は左の横側部にブロアを備えた場合、ダクトを通す為の開口部を後部ステップに形成しないとすれば、ブロアから延出されたダクトを、後部ステップの後側部の後側を上下に通過させて後部ステップに下側に入り込ませて、エンジンの付近に到達させることが考えられる。
【００６１】
しかしながら前述のように構成すると、後部ステップの後側部から後側にダクトが突出する状態となるので、機体の後部の植播系作業装置を昇降させた場合、植播系作業装置がダクトに接触する可能性が生じる。
従って、植播系作業装置とダクトとの接触を避ける為に、植播系作業装置を機体から後側に離して配置すれば、機体の前部から植播系作業装置の後部までの植播系水田作業機の全長が長くなって、全体のバランスという面で好ましくない。
【００６２】
これに対して、本発明の第４特徴によると、エンジンの付近とブロアとに亘ってダクトを接続する場合、ダクトを後部ステップの横側部の外側を上下に通過して後部ステップの下側に入り込むように配置している。
これにより、後部ステップの後側部から後側にダクトが突出する状態とはならず、機体の後部の植播系作業装置を昇降させても、植播系作業装置がダクトに接触する可能性は生じない。従って、植播系作業装置を機体から後側に離して配置する必要が無く、機体の前部から植播系作業装置の後部までの植播系水田作業機の全長を適切な長さに設定できて、全体のバランスを良いものに設定することができる。
【００６３】
［ＩＶ］−２
本発明の第４特徴によると、ダクトにおける後部ステップの横側部に位置する部分が後部ステップの横側部の上部及び下部を挟み込むことにより、ダクトが後部ステップに支持されるように構成しているので、ダクトを固定する為のボルト等の固定部材を省略することができて（少なくすることができて）、部品点数の削減を図ることができる。
この場合、本発明の第４特徴によると、後部ステップの横側部に係合する凸部をダクトに備えているので、後部ステップによるダクトの支持強度をさらに高めることができる。
【００６４】
［ＩＶ］−３
植播系水田作業機では、後部ステップの横側部や後側部に手摺りを備えたものがある。
本発明の第４特徴によると、後部ステップの横側部の手摺りに対して、ダクトにおける後部ステップの上側に位置する部分が手摺りの後支柱の内側に配置されており、ダクトにおける後部ステップの上側に位置する部分が、手摺りの後支柱により外側から保護された状態となっている。これにより、ダクトにおける後部ステップの上側に位置する部分の破損防止という面で有利なものとなる。
【００６５】
［ＩＶ］−４
本発明の第４特徴によると、後部ステップの横側部の手摺りに対して、ダクトにおける後部ステップの横側部に位置する部分が、手摺りの前支柱と後支柱との間に配置されており、ダクトにおける後部ステップの上側に位置する部分が、手摺りの前及び後支柱により前側及び後側から保護された状態となっている。これにより、ダクトにおける後部ステップの上側に位置する部分の破損防止という面で有利なものとなる。
【００６６】
［ＩＶ］−５
植播系水田作業機では、後部ステップの下側に後輪が位置することが多く、右及び左の後輪がローリング自在に支持されたり、右及び左の後輪がサスペンション機構を介して支持されたりして、機体に対して後輪が上下動することがある。さらに、深い水田や軟弱な水田に対応する為に、後輪の外側に補助後輪を連結することがある。
【００６７】
本発明の第４特徴によると、ダクトにおける後部ステップの下側に位置する部分が、後部ステップの下側部から下側に突出する状態となっても、ダクトにおける後部ステップの下側に位置する部分が、後輪の外側で且つ補助後輪の内側を前後方向に配置されている。
これにより、前述のように機体に対して後輪及び補助後輪が上下動しても、後輪及び補助後輪がダクトにおける後部ステップの下側に位置する部分に接触することがなく、ダクトにおける後部ステップの下側に位置する部分の破損防止という面で有利なものとなる。
【００６８】
［ＩＶ］−６
機体の前部にエンジンが備えられている場合、ダクトが後部ステップの横側部の外側を上下に通過して後部ステップの下側に入り込むように配置されると、ダクトにおけるステップの下側に位置する部分が前後方向に配置されて、機体の前部のエンジンの付近に達する状態となる。
【００６９】
本発明の第４特徴によると、ダクトにおけるステップの下側に位置する部分が、ステップの下側を左右方向に配置されたフレームの重量軽減孔を通って前後方向に配置されている。このように、既存の構成といってよいフレームの重量軽減孔の空間を有効に利用することにより、ダクトにおけるステップの下側に位置する部分を無理なく配置することができる。
【００７０】
［ＩＶ］−７
前項［ＩＶ］−６に記載の状態において、ダクトにおけるステップの下側に位置する部分がフレームの重量軽減孔を通ることにより、ダクトにおけるステップの下側に位置する部分と、フレームの重量軽減孔の近傍とが接近した状態となる。
【００７１】
本発明の第４特徴のように、フレームの重量軽減孔の近傍に備えられた連結部材によって、ダクトにおけるステップの下側に位置する部分をフレームに連結することにより、比較的小さな連結部材によって、ダクトにおけるステップの下側に位置する部分をフレームに連結することができるので、構造の簡素化の面で有利なものとなる。
【００７２】
［Ｖ］
（構成）
本発明の第５特徴は、植播系水田作業機において次のように構成することにある。
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込むことにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が、前記後支柱の内側に配置され、
前記ダクトにおける前記後部ステップの横側部に位置する部分が、前記前支柱と前記後支柱との間に配置され、
前記ダクトにおける前記後部ステップの下側に位置する部分が、後輪の外側で、且つ、後輪の外側に備えられた補助後輪の内側を前後方向に配置され、
前記ダクトにおける前記ステップの下側に位置する部分が、前記ステップの下側を左右方向に配置されたフレームの重量軽減孔を通って前後方向に配置され、且つ、前記重量軽減孔の近傍に備えられた連結部材により前記フレームに連結されて、機体の前部の前記エンジンの付近に達している。
【００７３】
（作用及び発明の効果）
［Ｖ］−１
植播系水田作業機において、機体の後部の後部ステップの上側に粉粒体供給装置を備えて、粉粒体供給装置の右又は左の横側部にブロアを備えた場合、ダクトを通す為の開口部を後部ステップに形成しないとすれば、ブロアから延出されたダクトを、後部ステップの後側部の後側を上下に通過させて後部ステップに下側に入り込ませて、エンジンの付近に到達させることが考えられる。
【００７４】
しかしながら前述のように構成すると、後部ステップの後側部から後側にダクトが突出する状態となるので、機体の後部の植播系作業装置を昇降させた場合、植播系作業装置がダクトに接触する可能性が生じる。
従って、植播系作業装置とダクトとの接触を避ける為に、植播系作業装置を機体から後側に離して配置すれば、機体の前部から植播系作業装置の後部までの植播系水田作業機の全長が長くなって、全体のバランスという面で好ましくない。
【００７５】
これに対して、本発明の第５特徴によると、エンジンの付近とブロアとに亘ってダクトを接続する場合、ダクトを後部ステップの横側部の外側を上下に通過して後部ステップの下側に入り込むように配置している。
これにより、後部ステップの後側部から後側にダクトが突出する状態とはならず、機体の後部の植播系作業装置を昇降させても、植播系作業装置がダクトに接触する可能性は生じない。従って、植播系作業装置を機体から後側に離して配置する必要が無く、機体の前部から植播系作業装置の後部までの植播系水田作業機の全長を適切な長さに設定できて、全体のバランスを良いものに設定することができる。
【００７６】
［Ｖ］−２
本発明の第５特徴によると、ダクトにおける後部ステップの横側部に位置する部分が後部ステップの横側部の上部及び下部を挟み込むことにより、ダクトが後部ステップに支持されるように構成しているので、ダクトを固定する為のボルト等の固定部材を省略することができて（少なくすることができて）、部品点数の削減を図ることができる。
【００７７】
［Ｖ］−３
植播系水田作業機では、後部ステップの横側部や後側部に手摺りを備えたものがある。
本発明の第５特徴によると、後部ステップの横側部の手摺りに対して、ダクトにおける後部ステップの上側に位置する部分が手摺りの後支柱の内側に配置されており、ダクトにおける後部ステップの上側に位置する部分が、手摺りの後支柱により外側から保護された状態となっている。これにより、ダクトにおける後部ステップの上側に位置する部分の破損防止という面で有利なものとなる。
【００７８】
［Ｖ］−４
本発明の第５特徴によると、後部ステップの横側部の手摺りに対して、ダクトにおける後部ステップの横側部に位置する部分が、手摺りの前支柱と後支柱との間に配置されており、ダクトにおける後部ステップの上側に位置する部分が、手摺りの前及び後支柱により前側及び後側から保護された状態となっている。これにより、ダクトにおける後部ステップの上側に位置する部分の破損防止という面で有利なものとなる。
【００７９】
［Ｖ］−５
植播系水田作業機では、後部ステップの下側に後輪が位置することが多く、右及び左の後輪がローリング自在に支持されたり、右及び左の後輪がサスペンション機構を介して支持されたりして、機体に対して後輪が上下動することがある。さらに、深い水田や軟弱な水田に対応する為に、後輪の外側に補助後輪を連結することがある。
【００８０】
本発明の第５特徴によると、ダクトにおける後部ステップの下側に位置する部分が、後部ステップの下側部から下側に突出する状態となっても、ダクトにおける後部ステップの下側に位置する部分が、後輪の外側で且つ補助後輪の内側を前後方向に配置されている。
これにより、前述のように機体に対して後輪及び補助後輪が上下動しても、後輪及び補助後輪がダクトにおける後部ステップの下側に位置する部分に接触することがなく、ダクトにおける後部ステップの下側に位置する部分の破損防止という面で有利なものとなる。
【００８１】
［Ｖ］−６
機体の前部にエンジンが備えられている場合、ダクトが後部ステップの横側部の外側を上下に通過して後部ステップの下側に入り込むように配置されると、ダクトにおけるステップの下側に位置する部分が前後方向に配置されて、機体の前部のエンジンの付近に達する状態となる。
【００８２】
本発明の第５特徴によると、ダクトにおけるステップの下側に位置する部分が、ステップの下側を左右方向に配置されたフレームの重量軽減孔を通って前後方向に配置されている。このように、既存の構成といってよいフレームの重量軽減孔の空間を有効に利用することにより、ダクトにおけるステップの下側に位置する部分を無理なく配置することができる。
【００８３】
［Ｖ］−７
前項［Ｖ］−６に記載の状態において、ダクトにおけるステップの下側に位置する部分がフレームの重量軽減孔を通ることにより、ダクトにおけるステップの下側に位置する部分と、フレームの重量軽減孔の近傍とが接近した状態となる。
【００８４】
本発明の第５特徴のように、フレームの重量軽減孔の近傍に備えられた連結部材によって、ダクトにおけるステップの下側に位置する部分をフレームに連結することにより、比較的小さな連結部材によって、ダクトにおけるステップの下側に位置する部分をフレームに連結することができるので、構造の簡素化の面で有利なものとなる。
【００８５】
［ＶＩ］
（構成）
本発明の第６特徴は、植播系水田作業機において次のように構成することにある。
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込むことにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が、前記後支柱の内側に配置され、
前記ダクトにおける前記後部ステップの横側部に位置する部分が、前記前支柱と前記後支柱との間に配置され、
前記ダクトにおける前記後部ステップの下側に位置する部分が、後輪の外側で、且つ、後輪の外側に備えられた補助後輪の内側を前後方向に配置され、
前記ダクトにおける前記ステップの下側に位置する部分が、前記ステップの下側を左右方向に配置されたフレームの重量軽減孔を通って前後方向に配置されて、機体の前部の前記エンジンの付近に達している。
【００８６】
（作用及び発明の効果）
［ＶＩ］−１
植播系水田作業機において、機体の後部の後部ステップの上側に粉粒体供給装置を備えて、粉粒体供給装置の右又は左の横側部にブロアを備えた場合、ダクトを通す為の開口部を後部ステップに形成しないとすれば、ブロアから延出されたダクトを、後部ステップの後側部の後側を上下に通過させて後部ステップに下側に入り込ませて、エンジンの付近に到達させることが考えられる。
【００８７】
しかしながら前述のように構成すると、後部ステップの後側部から後側にダクトが突出する状態となるので、機体の後部の植播系作業装置を昇降させた場合、植播系作業装置がダクトに接触する可能性が生じる。
従って、植播系作業装置とダクトとの接触を避ける為に、植播系作業装置を機体から後側に離して配置すれば、機体の前部から植播系作業装置の後部までの植播系水田作業機の全長が長くなって、全体のバランスという面で好ましくない。
【００８８】
これに対して、本発明の第６特徴によると、エンジンの付近とブロアとに亘ってダクトを接続する場合、ダクトを後部ステップの横側部の外側を上下に通過して後部ステップの下側に入り込むように配置している。
これにより、後部ステップの後側部から後側にダクトが突出する状態とはならず、機体の後部の植播系作業装置を昇降させても、植播系作業装置がダクトに接触する可能性は生じない。従って、植播系作業装置を機体から後側に離して配置する必要が無く、機体の前部から植播系作業装置の後部までの植播系水田作業機の全長を適切な長さに設定できて、全体のバランスを良いものに設定することができる。
【００８９】
［ＶＩ］−２
本発明の第６特徴によると、ダクトにおける後部ステップの横側部に位置する部分が後部ステップの横側部の上部及び下部を挟み込むことにより、ダクトが後部ステップに支持されるように構成しているので、ダクトを固定する為のボルト等の固定部材を省略することができて（少なくすることができて）、部品点数の削減を図ることができる。
【００９０】
［ＶＩ］−３
植播系水田作業機では、後部ステップの横側部や後側部に手摺りを備えたものがある。
本発明の第６特徴によると、後部ステップの横側部の手摺りに対して、ダクトにおける後部ステップの上側に位置する部分が手摺りの後支柱の内側に配置されており、ダクトにおける後部ステップの上側に位置する部分が、手摺りの後支柱により外側から保護された状態となっている。これにより、ダクトにおける後部ステップの上側に位置する部分の破損防止という面で有利なものとなる。
【００９１】
［ＶＩ］−４
本発明の第６特徴によると、後部ステップの横側部の手摺りに対して、ダクトにおける後部ステップの横側部に位置する部分が、手摺りの前支柱と後支柱との間に配置されており、ダクトにおける後部ステップの上側に位置する部分が、手摺りの前及び後支柱により前側及び後側から保護された状態となっている。これにより、ダクトにおける後部ステップの上側に位置する部分の破損防止という面で有利なものとなる。
【００９２】
［ＶＩ］−５
植播系水田作業機では、後部ステップの下側に後輪が位置することが多く、右及び左の後輪がローリング自在に支持されたり、右及び左の後輪がサスペンション機構を介して支持されたりして、機体に対して後輪が上下動することがある。さらに、深い水田や軟弱な水田に対応する為に、後輪の外側に補助後輪を連結することがある。
【００９３】
本発明の第６特徴によると、ダクトにおける後部ステップの下側に位置する部分が、後部ステップの下側部から下側に突出する状態となっても、ダクトにおける後部ステップの下側に位置する部分が、後輪の外側で且つ補助後輪の内側を前後方向に配置されている。
これにより、前述のように機体に対して後輪及び補助後輪が上下動しても、後輪及び補助後輪がダクトにおける後部ステップの下側に位置する部分に接触することがなく、ダクトにおける後部ステップの下側に位置する部分の破損防止という面で有利なものとなる。
【００９４】
［ＶＩ］−６
機体の前部にエンジンが備えられている場合、ダクトが後部ステップの横側部の外側を上下に通過して後部ステップの下側に入り込むように配置されると、ダクトにおけるステップの下側に位置する部分が前後方向に配置されて、機体の前部のエンジンの付近に達する状態となる。
【００９５】
本発明の第６特徴によると、ダクトにおけるステップの下側に位置する部分が、ステップの下側を左右方向に配置されたフレームの重量軽減孔を通って前後方向に配置されている。このように、既存の構成といってよいフレームの重量軽減孔の空間を有効に利用することにより、ダクトにおけるステップの下側に位置する部分を無理なく配置することができる。
【００９６】
［ＶＩＩ］
（構成）
本発明の第７特徴は、植播系水田作業機において次のように構成することにある。
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又はの左横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込むことにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が、前記後支柱の内側に配置され、
前記ダクトにおける前記後部ステップの横側部に位置する部分が、前記前支柱と前記後支柱との間に配置され、
前記ダクトにおける前記後部ステップの下側に位置する部分が、後輪の外側で、且つ、後輪の外側に備えられた補助後輪の内側を前後方向に配置されている。
【００９７】
（作用及び発明の効果）
［ＶＩＩ］−１
植播系水田作業機において、機体の後部の後部ステップの上側に粉粒体供給装置を備えて、粉粒体供給装置の右又は左の横側部にブロアを備えた場合、ダクトを通す為の開口部を後部ステップに形成しないとすれば、ブロアから延出されたダクトを、後部ステップの後側部の後側を上下に通過させて後部ステップに下側に入り込ませて、エンジンの付近に到達させることが考えられる。
【００９８】
しかしながら前述のように構成すると、後部ステップの後側部から後側にダクトが突出する状態となるので、機体の後部の植播系作業装置を昇降させた場合、植播系作業装置がダクトに接触する可能性が生じる。
従って、植播系作業装置とダクトとの接触を避ける為に、植播系作業装置を機体から後側に離して配置すれば、機体の前部から植播系作業装置の後部までの植播系水田作業機の全長が長くなって、全体のバランスという面で好ましくない。
【００９９】
これに対して、本発明の第７特徴によると、エンジンの付近とブロアとに亘ってダクトを接続する場合、ダクトを後部ステップの横側部の外側を上下に通過して後部ステップの下側に入り込むように配置している。
これにより、後部ステップの後側部から後側にダクトが突出する状態とはならず、機体の後部の植播系作業装置を昇降させても、植播系作業装置がダクトに接触する可能性は生じない。従って、植播系作業装置を機体から後側に離して配置する必要が無く、機体の前部から植播系作業装置の後部までの植播系水田作業機の全長を適切な長さに設定できて、全体のバランスを良いものに設定することができる。
【０１００】
［ＶＩＩ］−２
本発明の第７特徴によると、ダクトにおける後部ステップの横側部に位置する部分が後部ステップの横側部の上部及び下部を挟み込むことにより、ダクトが後部ステップに支持されるように構成しているので、ダクトを固定する為のボルト等の固定部材を省略することができて（少なくすることができて）、部品点数の削減を図ることができる。
【０１０１】
［ＶＩＩ］−３
植播系水田作業機では、後部ステップの横側部や後側部に手摺りを備えたものがある。
本発明の第７特徴によると、後部ステップの横側部の手摺りに対して、ダクトにおける後部ステップの上側に位置する部分が手摺りの後支柱の内側に配置されており、ダクトにおける後部ステップの上側に位置する部分が、手摺りの後支柱により外側から保護された状態となっている。これにより、ダクトにおける後部ステップの上側に位置する部分の破損防止という面で有利なものとなる。
【０１０２】
［ＶＩＩ］−４
本発明の第７特徴によると、後部ステップの横側部の手摺りに対して、ダクトにおける後部ステップの横側部に位置する部分が、手摺りの前支柱と後支柱との間に配置されており、ダクトにおける後部ステップの上側に位置する部分が、手摺りの前及び後支柱により前側及び後側から保護された状態となっている。これにより、ダクトにおける後部ステップの上側に位置する部分の破損防止という面で有利なものとなる。
【０１０３】
［ＶＩＩ］−５
植播系水田作業機では、後部ステップの下側に後輪が位置することが多く、右及び左の後輪がローリング自在に支持されたり、右及び左の後輪がサスペンション機構を介して支持されたりして、機体に対して後輪が上下動することがある。さらに、深い水田や軟弱な水田に対応する為に、後輪の外側に補助後輪を連結することがある。
【０１０４】
本発明の第７特徴によると、ダクトにおける後部ステップの下側に位置する部分が、後部ステップの下側部から下側に突出する状態となっても、ダクトにおける後部ステップの下側に位置する部分が、後輪の外側で且つ補助後輪の内側を前後方向に配置されている。
これにより、前述のように機体に対して後輪及び補助後輪が上下動しても、後輪及び補助後輪がダクトにおける後部ステップの下側に位置する部分に接触することがなく、ダクトにおける後部ステップの下側に位置する部分の破損防止という面で有利なものとなる。
【０１０５】
［ＶＩＩＩ］
（構成）
本発明の第８特徴は、植播系水田作業機において次のように構成することにある。
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込むことにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が、前記後支柱の内側に配置され、
前記ダクトにおける前記後部ステップの横側部に位置する部分が、前記前支柱と前記後支柱との間に配置され、
前記ダクトにおける前記後部ステップの下側に位置する部分が、後輪の外側を前後方向に配置されている。
【０１０６】
（作用及び発明の効果）
［ＶＩＩＩ］−１
植播系水田作業機において、機体の後部の後部ステップの上側に粉粒体供給装置を備えて、粉粒体供給装置の右又は左の横側部にブロアを備えた場合、ダクトを通す為の開口部を後部ステップに形成しないとすれば、ブロアから延出されたダクトを、後部ステップの後側部の後側を上下に通過させて後部ステップに下側に入り込ませて、エンジンの付近に到達させることが考えられる。
【０１０７】
しかしながら前述のように構成すると、後部ステップの後側部から後側にダクトが突出する状態となるので、機体の後部の植播系作業装置を昇降させた場合、植播系作業装置がダクトに接触する可能性が生じる。
従って、植播系作業装置とダクトとの接触を避ける為に、植播系作業装置を機体から後側に離して配置すれば、機体の前部から植播系作業装置の後部までの植播系水田作業機の全長が長くなって、全体のバランスという面で好ましくない。
【０１０８】
これに対して、本発明の第８特徴によると、エンジンの付近とブロアとに亘ってダクトを接続する場合、ダクトを後部ステップの横側部の外側を上下に通過して後部ステップの下側に入り込むように配置している。
これにより、後部ステップの後側部から後側にダクトが突出する状態とはならず、機体の後部の植播系作業装置を昇降させても、植播系作業装置がダクトに接触する可能性は生じない。従って、植播系作業装置を機体から後側に離して配置する必要が無く、機体の前部から植播系作業装置の後部までの植播系水田作業機の全長を適切な長さに設定できて、全体のバランスを良いものに設定することができる。
【０１０９】
［ＶＩＩＩ］−２
本発明の第８特徴によると、ダクトにおける後部ステップの横側部に位置する部分が後部ステップの横側部の上部及び下部を挟み込むことにより、ダクトが後部ステップに支持されるように構成しているので、ダクトを固定する為のボルト等の固定部材を省略することができて（少なくすることができて）、部品点数の削減を図ることができる。
【０１１０】
［ＶＩＩＩ］−３
植播系水田作業機では、後部ステップの横側部や後側部に手摺りを備えたものがある。
本発明の第８特徴によると、後部ステップの横側部の手摺りに対して、ダクトにおける後部ステップの上側に位置する部分が手摺りの後支柱の内側に配置されており、ダクトにおける後部ステップの上側に位置する部分が、手摺りの後支柱により外側から保護された状態となっている。これにより、ダクトにおける後部ステップの上側に位置する部分の破損防止という面で有利なものとなる。
【０１１１】
［ＶＩＩＩ］−４
本発明の第８特徴によると、後部ステップの横側部の手摺りに対して、ダクトにおける後部ステップの横側部に位置する部分が、手摺りの前支柱と後支柱との間に配置されており、ダクトにおける後部ステップの上側に位置する部分が、手摺りの前及び後支柱により前側及び後側から保護された状態となっている。これにより、ダクトにおける後部ステップの上側に位置する部分の破損防止という面で有利なものとなる。
【０１１２】
［ＶＩＩＩ］−５
植播系水田作業機では、後部ステップの下側に後輪が位置することが多く、右及び左の後輪がローリング自在に支持されたり、右及び左の後輪がサスペンション機構を介して支持されたりして、機体に対して後輪が上下動することがある。
【０１１３】
本発明の第８特徴によると、ダクトにおける後部ステップの下側に位置する部分が、後部ステップの下側部から下側に突出する状態となっても、ダクトにおける後部ステップの下側に位置する部分が、後輪の外側を前後方向に配置されている。
これにより、前述のように機体に対して後輪が上下動しても、後輪がダクトにおける後部ステップの下側に位置する部分に接触することがなく、ダクトにおける後部ステップの下側に位置する部分の破損防止という面で有利なものとなる。
【０１１４】
［ＩＸ］
（構成）
本発明の第９特徴は、植播系水田作業機において次のように構成することにある。
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込むことにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が、前記後支柱の内側に配置され、
前記ダクトにおける前記後部ステップの横側部に位置する部分が、前記前支柱と前記後支柱との間に配置されている。
【０１１５】
（作用及び発明の効果）
［ＩＸ］−１
植播系水田作業機において、機体の後部の後部ステップの上側に粉粒体供給装置を備えて、粉粒体供給装置の右又は左の横側部にブロアを備えた場合、ダクトを通す為の開口部を後部ステップに形成しないとすれば、ブロアから延出されたダクトを、後部ステップの後側部の後側を上下に通過させて後部ステップに下側に入り込ませて、エンジンの付近に到達させることが考えられる。
【０１１６】
しかしながら前述のように構成すると、後部ステップの後側部から後側にダクトが突出する状態となるので、機体の後部の植播系作業装置を昇降させた場合、植播系作業装置がダクトに接触する可能性が生じる。
従って、植播系作業装置とダクトとの接触を避ける為に、植播系作業装置を機体から後側に離して配置すれば、機体の前部から植播系作業装置の後部までの植播系水田作業機の全長が長くなって、全体のバランスという面で好ましくない。
【０１１７】
これに対して、本発明の第９特徴によると、エンジンの付近とブロアとに亘ってダクトを接続する場合、ダクトを後部ステップの横側部の外側を上下に通過して後部ステップの下側に入り込むように配置している。
これにより、後部ステップの後側部から後側にダクトが突出する状態とはならず、機体の後部の植播系作業装置を昇降させても、植播系作業装置がダクトに接触する可能性は生じない。従って、植播系作業装置を機体から後側に離して配置する必要が無く、機体の前部から植播系作業装置の後部までの植播系水田作業機の全長を適切な長さに設定できて、全体のバランスを良いものに設定することができる。
【０１１８】
［ＩＸ］−２
本発明の第９特徴によると、ダクトにおける後部ステップの横側部に位置する部分が後部ステップの横側部の上部及び下部を挟み込むことにより、ダクトが後部ステップに支持されるように構成しているので、ダクトを固定する為のボルト等の固定部材を省略することができて（少なくすることができて）、部品点数の削減を図ることができる。
【０１１９】
［ＩＸ］−３
植播系水田作業機では、後部ステップの横側部や後側部に手摺りを備えたものがある。
本発明の第９特徴によると、後部ステップの横側部の手摺りに対して、ダクトにおける後部ステップの上側に位置する部分が手摺りの後支柱の内側に配置されており、ダクトにおける後部ステップの上側に位置する部分が、手摺りの後支柱により外側から保護された状態となっている。これにより、ダクトにおける後部ステップの上側に位置する部分の破損防止という面で有利なものとなる。
【０１２０】
［ＩＸ］−４
本発明の第９特徴によると、後部ステップの横側部の手摺りに対して、ダクトにおける後部ステップの横側部に位置する部分が、手摺りの前支柱と後支柱との間に配置されており、ダクトにおける後部ステップの上側に位置する部分が、手摺りの前及び後支柱により前側及び後側から保護された状態となっている。これにより、ダクトにおける後部ステップの上側に位置する部分の破損防止という面で有利なものとなる。
【０１２１】
［Ｘ］
（構成）
本発明の第１０特徴は、植播系水田作業機において次のように構成することにある。
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込むことにより、前記ダクトが前記後部ステップに支持され、
前記後部ステップの横側部の外側に、前側の上下方向の前支柱と後側の上下方向の後支柱とを備えた手摺りを備えて、前記ダクトにおける前記後部ステップの上側に位置する部分が、前記後支柱の内側に配置されている。
【０１２２】
（作用及び発明の効果）
［Ｘ］−１
植播系水田作業機において、機体の後部の後部ステップの上側に粉粒体供給装置を備えて、粉粒体供給装置の右又は左の横側部にブロアを備えた場合、ダクトを通す為の開口部を後部ステップに形成しないとすれば、ブロアから延出されたダクトを、後部ステップの後側部の後側を上下に通過させて後部ステップに下側に入り込ませて、エンジンの付近に到達させることが考えられる。
【０１２３】
しかしながら前述のように構成すると、後部ステップの後側部から後側にダクトが突出する状態となるので、機体の後部の植播系作業装置を昇降させた場合、植播系作業装置がダクトに接触する可能性が生じる。
従って、植播系作業装置とダクトとの接触を避ける為に、植播系作業装置を機体から後側に離して配置すれば、機体の前部から植播系作業装置の後部までの植播系水田作業機の全長が長くなって、全体のバランスという面で好ましくない。
【０１２４】
これに対して、本発明の第１０特徴によると、エンジンの付近とブロアとに亘ってダクトを接続する場合、ダクトを後部ステップの横側部の外側を上下に通過して後部ステップの下側に入り込むように配置している。
これにより、後部ステップの後側部から後側にダクトが突出する状態とはならず、機体の後部の植播系作業装置を昇降させても、植播系作業装置がダクトに接触する可能性は生じない。従って、植播系作業装置を機体から後側に離して配置する必要が無く、機体の前部から植播系作業装置の後部までの植播系水田作業機の全長を適切な長さに設定できて、全体のバランスを良いものに設定することができる。
【０１２５】
［Ｘ］−２
本発明の第１０特徴によると、ダクトにおける後部ステップの横側部に位置する部分が後部ステップの横側部の上部及び下部を挟み込むことにより、ダクトが後部ステップに支持されるように構成しているので、ダクトを固定する為のボルト等の固定部材を省略することができて（少なくすることができて）、部品点数の削減を図ることができる。
【０１２６】
［Ｘ］−３
植播系水田作業機では、後部ステップの横側部や後側部に手摺りを備えたものがある。
本発明の第１０特徴によると、後部ステップの横側部の手摺りに対して、ダクトにおける後部ステップの上側に位置する部分が手摺りの後支柱の内側に配置されており、ダクトにおける後部ステップの上側に位置する部分が、手摺りの後支柱により外側から保護された状態となっている。これにより、ダクトにおける後部ステップの上側に位置する部分の破損防止という面で有利なものとなる。
【０１２７】
［ＸＩ］
（構成）
本発明の第１１特徴は、植播系水田作業機において次のように構成することにある。
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置され、
前記ダクトにおける前記後部ステップの横側部に位置する部分が、前記後部ステップの横側部の上部及び下部を挟み込むことにより、前記ダクトが前記後部ステップに支持されている。
【０１２８】
（作用及び発明の効果）
［ＸＩ］−１
植播系水田作業機において、機体の後部の後部ステップの上側に粉粒体供給装置を備えて、粉粒体供給装置の右又は左の横側部にブロアを備えた場合、ダクトを通す為の開口部を後部ステップに形成しないとすれば、ブロアから延出されたダクトを、後部ステップの後側部の後側を上下に通過させて後部ステップに下側に入り込ませて、エンジンの付近に到達させることが考えられる。
【０１２９】
しかしながら前述のように構成すると、後部ステップの後側部から後側にダクトが突出する状態となるので、機体の後部の植播系作業装置を昇降させた場合、植播系作業装置がダクトに接触する可能性が生じる。
従って、植播系作業装置とダクトとの接触を避ける為に、植播系作業装置を機体から後側に離して配置すれば、機体の前部から植播系作業装置の後部までの植播系水田作業機の全長が長くなって、全体のバランスという面で好ましくない。
【０１３０】
これに対して、本発明の第１１特徴によると、エンジンの付近とブロアとに亘ってダクトを接続する場合、ダクトを後部ステップの横側部の外側を上下に通過して後部ステップの下側に入り込むように配置している。
これにより、後部ステップの後側部から後側にダクトが突出する状態とはならず、機体の後部の植播系作業装置を昇降させても、植播系作業装置がダクトに接触する可能性は生じない。従って、植播系作業装置を機体から後側に離して配置する必要が無く、機体の前部から植播系作業装置の後部までの植播系水田作業機の全長を適切な長さに設定できて、全体のバランスを良いものに設定することができる。
【０１３１】
［ＸＩ］−２
本発明の第１１特徴によると、ダクトにおける後部ステップの横側部に位置する部分が後部ステップの横側部の上部及び下部を挟み込むことにより、ダクトが後部ステップに支持されるように構成しているので、ダクトを固定する為のボルト等の固定部材を省略することができて（少なくすることができて）、部品点数の削減を図ることができる。
【０１３２】
［ＸＩＩ］
（構成）
本発明の第１２特徴は、植播系水田作業機において次のように構成することにある。
機体の後部に植播系作業装置を昇降自在に支持し、運転部のステップよりも高い位置に配置された後部ステップを機体の後部に備えて、粉粒体供給装置を前記後部ステップの上側に備え、
前記植播系作業装置に供給部を備えて、前記粉粒体供給装置と前記供給部とに亘ってホースを接続し、前記粉粒体供給装置の右又は左の横側部にブロアを備えて、
前記ブロアから前記粉粒体供給装置に供給された搬送風により、前記粉粒体供給装置から繰り出された粉粒体が、前記ホースを通り前記供給部を介して田面に供給されるように構成し、
機体に備えられたエンジンの付近と前記ブロアとに亘ってダクトを接続して、前記ブロアが前記エンジンの付近の高温の空気を前記ダクトを介して吸引するように構成し、
前記ダクトが、前記後部ステップの横側部の外側を上下に通過して前記後部ステップの下側に入り込むように配置されている。
【０１３３】
（作用及び発明の効果）
植播系水田作業機において、機体の後部の後部ステップの上側に粉粒体供給装置を備えて、粉粒体供給装置の右又は左の横側部にブロアを備えた場合、ダクトを通す為の開口部を後部ステップに形成しないとすれば、ブロアから延出されたダクトを、後部ステップの後側部の後側を上下に通過させて後部ステップに下側に入り込ませて、エンジンの付近に到達させることが考えられる。
【０１３４】
しかしながら前述のように構成すると、後部ステップの後側部から後側にダクトが突出する状態となるので、機体の後部の植播系作業装置を昇降させた場合、植播系作業装置がダクトに接触する可能性が生じる。
従って、植播系作業装置とダクトとの接触を避ける為に、植播系作業装置を機体から後側に離して配置すれば、機体の前部から植播系作業装置の後部までの植播系水田作業機の全長が長くなって、全体のバランスという面で好ましくない。
【０１３５】
これに対して、本発明の第１２特徴によると、エンジンの付近とブロアとに亘ってダクトを接続する場合、ダクトを後部ステップの横側部の外側を上下に通過して後部ステップの下側に入り込むように配置している。
これにより、後部ステップの後側部から後側にダクトが突出する状態とはならず、機体の後部の植播系作業装置を昇降させても、植播系作業装置がダクトに接触する可能性は生じない。従って、植播系作業装置を機体から後側に離して配置する必要が無く、機体の前部から植播系作業装置の後部までの植播系水田作業機の全長を適切な長さに設定できて、全体のバランスを良いものに設定することができる。
【図面の簡単な説明】
【０１３６】
【図１】乗用型田植機の全体側面図である。
【図２】乗用型田植機の全体平面図である。
【図３】施肥装置の背面図である。
【図４】施肥装置の概略を示す平面図である。
【図５】第１ダクト部分の平面図である。
【図６】第１ダクト部分の側面図である。
【図７】第１ダクト部分の正面図である。
【図８】第１ダクト部分において図６のＶＩＩＩ−ＶＩＩＩ断面図である。
【図９】第２ダクト部分の平面図である。
【図１０】第２ダクト部分の正面図である。
【図１１】第３ダクト部分の平面図である。
【図１２】第３ダクト部分の側面図である。
【図１３】第１ダクト部分の横側部と第２ダクト部分の左右部との連結部分を示す縦断正面図である。
【図１４】第１ダクト部分の横側部と第２ダクト部分の左右部との連結部分において図１３のＸＩＶ−ＸＩＶ断面図である。
【図１５】ダクト（第１，２，３ダクト部分）、ブロア及び後部ステップの付近の縦断正面図である。
【図１６】ダクト（第１，２，３ダクト部分）、ブロア及び後部ステップの付近の平面図である。
【図１７】発明の実施の第１別形態においてダクト（第１，２，３ダクト部分）の平面図である。
【発明を実施するための形態】
【０１３７】
［１］
図１及び図２に示すように、右及び左の前輪１、右及び左の後輪２で支持された機体の後部に、上下揺動自在なリンク機構３が備えられて、リンク機構３を介して６条植型式の苗植付装置５（植播系作業装置に相当）が昇降自在に支持され、リンク機構３を昇降駆動する油圧シリンダ４が備えられて、植播系水田作業機の一例である乗用型田植機が構成されている。
【０１３８】
次に、苗植付装置５について説明する。
図１及び図２に示すように、苗植付装置５は、３個の伝動ケース６、伝動ケース６の後部に回転駆動自在に支持された一対の回転ケース７、回転ケース７の両端に備えられた一対の植付アーム８、接地フロート９及び苗のせ台１０等を備えて構成されている。
【０１３９】
図１及び図２に示すように、エンジン１７の動力が、走行用の静油圧式無段変速装置（図示せず）、ミッションケース１８に備えられた株間変速装置（図示せず）及び植付クラッチ（図示せず）からＰＴＯ軸１９を介して苗植付装置５に伝達される。これにより、苗のせ台１０が左右に往復横送り駆動されるのに伴って、回転ケース７が回転駆動されて、苗のせ台１０の下部から植付アーム８が交互に苗を取り出して田面に植え付ける。
【０１４０】
図１及び図１５に示すように、右及び左の機体フレーム２８が前後方向に配置されて、機体フレーム２８の前部にミッションケース１８が連結され、ミッションケース１８の前部に連結されたフレーム３０にエンジン１７が支持されている。右及び左の機体フレーム２８の後部に右及び左の支持板３８が上向きに連結されており、支持板３８に運転座席３１が支持されている。
【０１４１】
図１，２，１５に示すように、運転部３９において機体フレーム２８にステップ３２が支持されて、支持板３８に後部ステップ３３が支持されている。これにより、ステップ３２よりも後部ステップ３３が高い位置に配置されて機体の後部に備えられており、後部ステップ３３の前部の左右中央に運転座席３１が配置されて、運転座席３１の後側で後部ステップ３３の上側に、施肥装置１１（粉粒体供給装置に相当）が備えられている。
【０１４２】
［２］
次に、施肥装置１１について説明する。
図３に示すように、右及び左のフレーム４０が右及び左の支持板３８の後部に連結されて後部ステップ３３を貫通して上側に延出されており、右及び左のフレーム４０の中間部に亘って横向きのフレーム４８が連結されている。角パイプ状の支持フレーム２０が右及び左のフレーム４０の上部に亘って連結されており、４個の繰り出し部１３が支持フレーム２０に連結されている。
【０１４３】
図１，２，３に示すように、粉粒状の肥料（粉粒体に相当）を貯留するホッパー１２が繰り出し部１３の上部に連結されており、施肥装置１１の左の横側部にブロア１４が備えられている。接地フロート９に作溝器１５（供給部に相当）が連結されて、６個の作溝器１５が備えられており、繰り出し部１３と作溝器１５とに亘って６本のホース１６が接続されている。以上のように、ホッパー１２、繰り出し部１３、ブロア１４、作溝器１５及びホース１６等により、施肥装置１１が構成されている。
【０１４４】
図４に示すように、ブロア１４は電動モータ２５により駆動されるように構成されて、ブロア１４に分岐部２６が接続されており、ブロア１４の搬送風の切換操作用のシャッタ２６ａが分岐部２６に備えられている。分岐部２６と繰り出し部１３の前部とに亘って供給ダクト２７が接続されており、繰り出し部１３の吸入部１３ａが供給ダクト２７に挿入されている。繰り出し部１３の前部の上部に排出部１３ｂ及び排出部１３ｂを開閉するシャッタ（図示せず）が備えられており、分岐部２６から延出された排出ダクト２９が繰り出し部１３の排出口１３ｂに亘って接続されている。
【０１４５】
図４に示す状態は、分岐部２６のシャッタ２６ａにより排出ダクト２９の入口を塞いだ状態であり、ブロア１４の搬送風が供給ダクト２７に供給される作業状態である（繰り出し部１３の排出部１３ｂのシャッタを閉位置に操作しておく）。
植付作業状態において、ブロア１４の搬送風が供給ダクト２７を介して繰り出し部１３に供給されており、ホッパー１２から肥料が所定量ずつ繰り出し部１３により繰り出されると、ブロア１４の搬送風により肥料がホース１６を通って作溝器１５に供給され、作溝器１５を介して田面に供給される。
【０１４６】
植付作業が終了した後、ホッパー１２に残る肥料を回収する場合、図４に示す分岐部２６のシャッタ２６ａにより供給ダクト２７の入口を塞いで、ブロア１４の搬送風が排出ダクト２９に供給される状態とし、繰り出し部１３の排出部１３ｂのシャッタを開位置に操作して、排出状態を設定する。
これにより、ホッパー１２の肥料が繰り出し部１３の排出口１３ｂから排出ダクト２９に出るのであり、ブロア１４の搬送風が排出ダクト２９に供給されて、排出ダクト２９に出た肥料が送られて排出ダクト２９の排出口２９ａから排出される。
【０１４７】
図１及び図２に示すように、後部ステップ３３の右及び左の横側部の外側に、右及び左の手摺り３４が備えられており、手摺り３４は前支柱３４ａ、後支柱３４ｂ、前及び後支柱３４ａ，３４ｂに亘る上部３４ｃを備えている。右及び左の手摺り３４の後支柱３４ｂの上部に亘って、手摺り３５が連結されている。これにより、右及び左の手摺り３４の間に施肥装置１１（ホッパー１２及び繰り出し部１３）が位置しており、手摺り３５の前側に施肥装置１１（ホッパー１２）が位置している。
【０１４８】
［３］
次に、施肥装置１１への伝動系について説明する。
図１，３，４に示すように、エンジン１７の動力が、走行用の静油圧式無段変速装置（図示せず）、及びミッションケース１８に備えられた施肥クラッチ（図示せず）から、機体の下部に前後方向に配置された伝動軸２１に伝達されている。施肥装置１１の右側後部の左右方向に沿って伝動軸２２が回転自在に支持されており、伝動軸２１の後端部に連結されたアーム２１ａと、伝動軸２２の左端部（中央側の端部）に連結されたアーム２２ａとに亘って連係ロッド２３（伝動部材に相当）が接続されている。
これにより、伝動軸２１の回転動力が、伝動軸２１のアーム２１ａ及び連係ロッド２３により上下の往復運動に変換され、連係ロッド２３により所定角度の範囲での往復回転運動として伝動軸２２に伝達される。
【０１４９】
図１及び図３に示すように、連係ロッド２３は側面視（図１参照）で施肥装置１１及びフレーム４０，４８の後側に位置しており、背面視（図３参照）で右及び左のフレーム４０の間に位置している。連係ロッド２３は、側面視（図１参照）で施肥装置１１側に少し突出するように折り曲げられており、図１６に示すように、後部ステップ３３に形成された開口部３３ａを通って上側に延出されている。
【０１５０】
図２，３，４に示すように、施肥装置１１の右の横側部に供給量変更装置２４が備えられており、伝動軸２２の右端部が供給量変更装置２４に接続されている。繰り出し部１３の後部の左右方向に沿って、断面六角状の駆動軸３７が回転自在に支持されており、駆動軸３７の右端部が供給量変更装置２４に接続されている。
【０１５１】
図３及び図４に示すように、回転に伴って肥料を所定量ずつ繰り出す繰り出しロール（図示せず）が繰り出し部１３に内装されており、繰り出しロールに接続された入力ギヤ１３ｃが繰り出し部１３の右の横側面に備えられている。
駆動ギヤ３７ａが駆動軸３７に相対回転自在に取り付けられており、駆動ギヤ３７ａが繰り出し部１３の入力ギヤ１３ｃに咬合している。シフト部材３７ｂが駆動軸３７に一体回転及びスライド自在に取り付けられて、シフト部材３７ｂが駆動ギヤ３７ａに咬合する伝動位置及び駆動ギヤ３７ａから離間した遮断位置にスライド自在に構成されており、駆動ギヤ３７ａとシフト部材３７ｂとにより、施肥装置１１の少数条クラッチが構成されている。
【０１５２】
以上の構造により図３及び図４に示すように、伝動軸２１の回転動力が伝動軸２１のアーム２１ａ及び連係ロッド２３により上下の往復運動に変換され、連係ロッド２３により所定角度の範囲での往復回転運動として伝動軸２２に伝達されて、供給量変更装置２４に伝達される。供給量変更装置２４において駆動軸３７の回転速度が変更されるのであり、駆動軸３７の動力が駆動ギヤ３７ａから繰り出し部１３の入力ギヤ１３ｃに伝達され、繰り出しロールが回転駆動されて繰り出し部１３から肥料が繰り出される。
【０１５３】
［４］
次に、供給量変更装置２４の構造について説明する。
図３及び図４に示すように、姿勢変更自在な支持部材４７が備えられ、支持部材４７に駆動部４６が揺動自在に支持されている。伝動軸２２の右端部にアーム２２ｂが連結されており、伝動軸２２のアーム２２ｂと駆動部４６とに亘って連係ロッド４９が接続されている。
【０１５４】
図３及び図４に示すように、駆動軸３７の右端部において、第１ワンウェイクラッチ４１が取り付けられ、第１ワンウェイクラッチ４１の右横側に第２ワンウェイクラッチ４２が取り付けられており、第２ワンウェイクラッチ４２の右横側に第３ワンウェイクラッチ４３が取り付けられている。第３ワンウェイクラッチ４３が固定部（図示せず）に連結されており、第３ワンウェイクラッチ４３は回転しない。
【０１５５】
図３及び図４に示すように、第１ワンウェイクラッチ４１のアーム４１ａが上方に延出され、第２ワンウェイクラッチ４２のアーム４２ａが下方に延出されている。駆動部４６と第１ワンウェイクラッチ４１のアーム４１ａとに亘って、連係部材４４が接続されている。駆動部４６と第２ワンウェイクラッチ４２のアーム４２ａとに亘って、連係部材４５が接続されている。
【０１５６】
図３及び図４に示すように、供給量変更装置２４において、伝動軸２２が所定角度の範囲で往復回転すると、伝動軸２２の往復回転運動が駆動部４６に伝達され、駆動部４６が往復作動する。駆動部４６の往路作動が第１ワンウェイクラッチ４１を介して駆動軸３７に伝達され、駆動軸３７が所定方向に回転駆動される。駆動部４６の復路作動が第２ワンウェイクラッチ４２を介して駆動軸３７に伝達されて、駆動軸３７が同じ所定方向に回転駆動される。
この場合、支持部材４７により駆動部４６の姿勢を変更して、駆動部４６から第１及び第２ワンウェイクラッチ４１，４２への往路及び復路作動の伝達状態を変更することにより、駆動軸３７の回転速度（繰り出し部１３の繰り出し量）を変更する。
【０１５７】
前述のように駆動部４６が往復作動する状態において、駆動部４６が往路作動の終点に到達し次に逆方向である復路作動を開始する場合、駆動部４６が復路作動を開始した際に駆動軸３７が第１ワンウェイクラッチ４１に連れ回りして、駆動軸３７が所定方向とは逆方向に少し回転駆動されようとしても、この状態が第３ワンウェイクラッチ４３によって阻止される。
前述と同様に駆動部４６が復路作動の終点に到達し次に逆方向である往路作動を開始する場合、駆動部４６が往路作動を開始した際に、駆動軸３７が第２ワンウェイクラッチ４２に連れ回りして、駆動軸３７が所定方向とは逆方向に少し回転駆動されようとしても、この状態が第３ワンウェイクラッチ４３によって阻止される。
【０１５８】
［５］
次に、エンジン１７の付近とブロア１４とに亘って接続されるダクト３６において、第１ダクト部分５１について説明する。
図１，２，１５，１６に示すように、エンジン１７の付近とブロア１４とに亘ってダクト３６が接続されており、ブロア１４がエンジン１７の付近の高温の空気をダクト３６を介して吸引するように構成されている。ダクト３６は第１ダクト部分５１、第２ダクト部分５２及び第３ダクト部分５３の３個に分割されている。
【０１５９】
図１，２，１５，１６に示すように、第１ダクト部分５１は、ブロア１４に接続される部分であり、後部ステップ３３の上側及び横外側に位置する部分である。
図５，６，７に示すように、第１ダクト部分５１は、ブロア１４に接続される接続口５１ａ、後部ステップ３３の上側に位置する上側部５１ｂ（ダクト３６における後部ステップ３３の上側に位置する部分に相当）、後部ステップ３３の横側部に位置する横側部５１ｃ（ダクト３６における後部ステップ３３の横側部に位置する部分に相当）、係合用の凸部５１ｄを備えて、硬質のゴム又は合成樹脂により一体的に形成されている。
【０１６０】
図５，６，７に示すように、第１ダクト部分５１の接続口５１ａは、第１ダクト部分５１の上側部５１ｂの後部に斜め前方上方向きに備えられている。第１ダクト部分５１の横側部５１ｃは、第１ダクト部分５１の上側部５ｂの前部から下側に延出され、後部ステップ３３の下側に入り込むように曲がっている。第１ダクト５１の凸部５１ｄは、第１ダクト部分５１の上側部５１ｂの下側部に下向きに２個形成されている。
図６，７，８に示すように、第１ダクト部分５１の横側部５１ｃの端部の内面に、外側に向く凹入部５１ｅが全周に亘って形成されており、第１ダクト部分５１の横側部５１ｃの端部に、平板状で開口部が形成された取付部５１ｆが備えられている。
【０１６１】
以上の構造により図１，２，１５，１６に示すように、第１ダクト部分５１の上側部５１ｂを後部ステップ３３の上側に位置させて、第１ダクト部分５１の接続口５１ａをブロア１４に接続しており、第１ダクト部分５１の横側部５１ｃを、後部ステップ３３の左の横側部の外側を上下に通過させて後部ステップ３３の下側に入り込ませている。
【０１６２】
図１５及び図１６に示すように、第１ダクト部分５１の横側部５１ｃにより、後部ステップ３３の右の横側部の上部及び下部を挟み込む状態となっており、第１ダクト部分５１の凸部５１ｄが、後部ステップ３３の右の横側部の縁部３３ｂに係合する状態となっている。これにより、第１ダクト部分５１が後部ステップ３３に支持されている。
【０１６３】
図１，２，１５，１６に示すように、第１ダクト部分５１が後部ステップ３３に支持された状態において、第１ダクト部分５１の接続口５１ａ及び上側部５１ｂが、平面視及び正面視で手摺り３４の後支柱３４ｂの内側に位置しており、第１ダクト部分５１の横側部５１ｃが、側面視で手摺り３４の前及び後支柱３４ａ，３４ｂの間に位置している。この場合、第１ダクト部分５１の横側部５１ｃは、手摺り３４の前及び後支柱３４ａ，３４ｂよりも内側に位置している（図１６参照）。
【０１６４】
［６］
次に、ダクト３６において第２ダクト部分５２について説明する。
図１，２，１５，１６に示すように、第２ダクト部分５２は第１ダクト部分５１に接続されるものであり、後部ステップ３３の下側に位置するものである。
【０１６５】
図９及び図１０に示すように、第２ダクト部分５２は、第１ダクト部分５１の横側部５１ｃに接続されて内側に延出される左右部５２ａ（ダクト３６における後部ステップ３３の下側に位置する部分に相当）、左右部５２ａから前側に延出される前後部５２ｂ（ダクト３６における後部ステップ３３の下側に位置する部分に相当）、前後部５２ｂから斜め前方（内側）の下方に延出される斜め部５２ｃ、斜め部５２ｃから内側に延出される左右部５２ｄを備えて、硬質のゴム又は合成樹脂により一体的に形成されている。
【０１６６】
図９及び図１０に示すように、第２ダクト部分５２の左右部５２ａの端部の外面に、外側に向く突出部５２ｅが全周に亘って形成されており、ピン状の凸部５２ｆが形成されている。第２ダクト部分５２の左右部５２ｄの端部の内面に、外側に向く凹入部５２ｇが全周に亘って形成されており、第２ダクト部分５２の左右部５２ｄの端部に、平板状で開口部が形成された取付部５２ｈが備えられている。
【０１６７】
以上の構造により図１３及び図１４に示すように、第２ダクト部分５２の左右部５２ａを第１ダクト部分５１の横側部５１ｃに挿入するのであり、第２ダクト部分５２の凸部５２ｆが第１ダクト部分５１の取付部５１ｆの開口部に入り込むまで、第２ダクト部分５２の左右部５２ａを第１ダクト部分５１の横側部５１ｃに挿入する。
【０１６８】
これにより、第２ダクト部分５２の凸部５２ｆが第１ダクト部分５１の取付部５１ｆの開口部に入り込むと、第２ダクト部分５２の突出部５２ｅが第１ダクト部分５１の凹入部５１ｅに入り込んで、第１及び第２ダクト部分５１，５２が連結された状態となる。後述する［８］に記載のように第２及び第３ダクト部分５２，５３を連結することにより、第２ダクト部分５２が第１及び第３ダクト部分５１，５３に支持された状態となる（図１５及び図１６参照）。
【０１６９】
［７］
次に、ダクト３６において第２ダクト部分５２の配置状態について説明する。
前述のように第２ダクト部分５２が第１及び第３ダクト部分５１，５３に支持された状態において、以下に示す状態となる。
【０１７０】
図１５及び図１６に示すように、第２ダクト部分５２の左右部５２ａ及び前後部５２ｂが、後部ステップ３３の下側に位置して、後部ステップ３３の下側に沿って後輪２の外側を左右方向及び前後方向に配置される。
後輪２の外側に補助後輪５０を連結した場合、第２ダクト部分５２の左右部５２ａ及び前後部５２ｂが、後部ステップ３３の下側に沿って後輪２の外側で且つ補助後輪５０の内側を左右方向及び前後方向に配置される。
【０１７１】
これにより、右及び左の後輪２（補助後輪５０）がローリング自在に支持されたり、右及び左の後輪２（補助後輪５０）がサスペンション機構を介して支持されたりした場合、機体に対して後輪２（補助後輪５０）が上下動しても、後輪２（補助後輪５０）が第２ダクト部分５２の左右部５２ａ及び前後部５２ｂに接触することはない。
【０１７２】
図１５及び図１６に示すように、第２ダクト部分５２の斜め部５２ｃが後部ステップ３３の下側に位置し、後部ステップ３３の下側に沿って斜め前方（内側）の下方に延出される。図１及び図２に示すステップ３２の後部の下側付近において、図１５及び図１６に示すように、右及び左の機体フレーム２８に、板金で構成されたフレーム５４が横外側に延出されて、ステップ３２の下側を左右方向に配置されており、フレーム５４によりステップ３２が支持される。第２ダクト部分５２が、ステップ３２の後部の下側付近においてフレーム５４の後側で第３ダクト部分５３に連結される。
【０１７３】
図１５及び図１６に示すように、第１及び第２ダクト部分５１，５２の連結部分において、第１ダクト部分５１の横側部５１ｃ及び第２ダクト部分５２の左右部５２ａが、左右方向（図１５の紙面左右方向、図１６の紙面上下方向）に向いた状態（左右方向に沿った状態）となっており、第１ダクト部分５１の横側部５１ｃの開口部及び第２ダクト部分５２の左右部５２ａの開口部が、左右方向に向いている（ダクト３６における後部ステップ３３の下側に位置する分割部分を、ダクト３６における左右方向に沿った部分に設定した状態に相当）。
【０１７４】
これにより、図１５及び図１６に示すように、第１ダクト部分５１の横側部５１ｃの開口部の縁部及び第２ダクト部分５２の左右部５２ａの開口部の縁部が、前後方向（図１６の紙面左右方向）に沿った状態となる（ダクト３６の分割線が前後方向に沿う状態に相当）。
【０１７５】
以上の構造によって、第１ダクト部分５１の横側部５１ｃ及び第２ダクト部分５２の左右部５２ａが左右方向に向いている点、並びに、第２ダクト部分５２の突出部５２ｅが第１ダクト部分５１の凹入部５１ｅに入り込んで第１及び第２ダクト部分５１，５２が連結されている点（前項［６］参照）により、前輪１や後輪２等から泥や水が前後方向に飛散したとしても、前輪１や後輪２等から飛散した泥や水が第１及び第２ダクト部分５１，５２の内部に入り込むようなことは少ない。
【０１７６】
図１６に示すように、泥や水を抜いて下側に落とす為の開口部３３ｃ，３３ｄが後部ステップ３３に形成されている。
後部ステップ３３の開口部３３ｃが、平面視において後輪２の内側に配置されている。第１ダクト部分５１の横側部５１ｃ及び第２ダクト部分５２の左右部５２ａが、平面視において後部ステップ３３の開口部３３ｄの外側に配置されており、第２ダクト部分５２の前後部５２ｂが、平面視において後部ステップ３３の開口部３３ｃ，３３ｄの間に配置されている。これにより、後部ステップ３３の開口部３３ｃ，３３ｄが、第１及び第２ダクト部分５１，５２によって塞がれることはない。
【０１７７】
［８］
次に、ダクト３６において第３ダクト部分５３について説明する。
図１，２，１５，１６に示すように、第３ダクト部分５３は第２ダクト部分５２に接続されるものであり、ステップ３２の下側に位置してエンジン１７の近傍に延出されるものである。
【０１７８】
図１１及び図１２に示すように、第３ダクト部分５３は、第２ダクト部分５２の左右部５２ｄに接続されて内側に延出される左右部５３ａ、左右部５３ａから前側に延出される前後部５３ｂ（ダクト３６におけるステップ３２の下側に位置する部分に相当）を備えて硬質のゴム又は合成樹脂により一体的に形成されている。第３ダクト部分５３の前後部５３ｂの前部に、吸気口５３ｆが内側に向くように斜めに形成されている。
【０１７９】
図１１及び図１２に示すように、第３ダクト部分５３の左右部５３ａの端部の外面に、外側に向く突出部５３ｃが全周に亘って形成されており、ピン状の凸部５３ｄが形成されている。第３ダクト部分５３の前後部５３ｂに、平板状で開口部が形成された取付部５３ｅが備えられている。
【０１８０】
以上の構造により図１５及び図１６に示すように、第３ダクト部分５３の左右部５３ａを第２ダクト部分５２の左右部５２ｄに挿入するのであり、第３ダクト部分５３の凸部５３ｄが第２ダクト部分５２の取付部５２ｈの開口部に入り込むまで、第３ダクト部分５３の左右部５３ａを第２ダクト部分５２の左右部５２ｄに挿入する。
これにより、第３ダクト部分５３の凸部５３ｄが第２ダクト部分５２の取付部５２ｈの開口部に入り込むと、第３ダクト部分５３の突出部５３ｃが第２ダクト部分５２の凹入部５２ｇに入り込んで、第２及び第３ダクト部分５２，５３が連結された状態となる。
【０１８１】
図１５及び図１６に示すように、フレーム５４に重量軽減孔５４ａが形成されており、フレーム５４の重量軽減孔５４ａの外周部にバーリング加工が施されている。フレーム５４において重量軽減孔５４ａの外側の近傍に連結部材５５が連結されている。
これにより、第３ダクト部分５３の前後部５３ｂが、フレーム５４の重量軽減孔５４ａを通って前後方向に配置されてフレーム５４に支持されており、第３ダクト部分５３の取付部５３ｅが連結部材５５にボルトにより連結されている。
【０１８２】
図１５，１６，１７に示すように、第２及び第３ダクト部分５２，５３の連結部分において、第２ダクト部分５２の左右部５２ｄ及び第３ダクト部分５３の左右部５３ａが、左右方向（図１５の紙面左右方向、図１６の紙面上下方向）に向いた状態（左右方向に沿った状態）となっており、第２ダクト部分５２の左右部５２ｄの開口部及び第３ダクト部分５３の左右部５３ａの開口部が、左右方向に向いている（ダクト３６におけるステップ３２の下側に位置する分割部分を、ダクト３６における左右方向に沿った部分に設定した状態に相当）。
【０１８３】
これにより、図１５及び図１６に示すように、第２ダクト部分５２の左右部５２ｄの開口部の縁部及び第３ダクト部分５３の左右部５３ａの開口部の縁部が、前後方向（図１６の紙面左右方向）に沿った状態となる（ダクト３６の分割線が前後方向に沿う状態に相当）。
【０１８４】
［発明の実施の第１別形態］
前述の［発明を実施するための形態］では、６条植型式の苗植付装置５を備えた乗用型田植機が示されている。
８条植型式の苗植付装置５を備えた乗用型田植機では、苗植付装置５の横幅及び後部ステップ３３の横幅が、６条植型式の乗用型田植機の苗植付装置５の横幅及び後部ステップ３３の横幅よりも大きくなる。
【０１８５】
これに対して、８条植型式の苗植付装置５を備えた乗用型田植機と、６条植型式の苗植付装置５を備えた乗用型田植機とにおいて、施肥装置１１の横幅は同じである（６条植型式及び８条植型式において、２条に対応する繰り出し部１３の数は４個で同じである。図４に示すように、６条植型式では、中央の２個の繰り出し部１３において１条しか使用せず、外側の２個の繰り出し部１３において２条を使用している。８条植型式では、４個全ての繰り出し部１３において２条を使用している）。
【０１８６】
以上の状態において、本発明を８条植型式の苗植付装置５を備えた乗用型田植機に適用した場合、図１７に示すようにダクト３６において、６条植型式の苗植付装置５を備えた乗用型田植機の第１ダクト部分５１よりも横幅の大きな第１ダクト部分５１を使用する。ダクト３６において第２及び第３ダクト部分５２，５３は、同じものを使用する。この場合、連係ロッド２３を後部ステップ３３の開口部３３ａを通して上側に延出するのではなく、連係ロッド２３を後部ステップ３３の後側を通して上側に延出する。
【０１８７】
［発明の実施の第２別形態］
前述の［発明を実施するための形態］［発明の実施の第１別形態］において、以下の（１）〜（５）に示すように構成してもよい。
（１）
施肥装置１１の右の横側部にブロア１４を備え、施肥装置１１の左の横側部に供給量変更装置２４を備えるように構成する。このように構成すると、ダクト３６は後部ステップ３３の右側に備えられるものとなり、図１５，１６，１７とは左右対称の形状に構成される。
【０１８８】
（２）
第１及び第２ダクト部分５１，５２において、第１ダクト部分５１の横側部５１ｃの端部に、全周に亘る突出部及びピン状の凸部を備え、第２ダクト部分５２の左右部５２ａの端部に、全周に亘る凹入部及び取付部を備える。このように構成すると、第１ダクト５１の横側部５１ｃを第２ダクト部分５２の左右部５２ａに挿入して連結することになる。
【０１８９】
（３）
第２及び第３ダクト部分５２，５３において、第２ダクト部分５２の左右部５２ｄの端部に、全周に亘る突出部及びピン状の凸部を備え、第３ダクト部分５３の左右部５３ａの端部に、全周に亘る凹入部及び取付部を備える。このように構成すると、第２ダクト５２の左右部５２ｄを第３ダクト部分５３の左右部５３ａに挿入して連結することになる。
【０１９０】
（４）
上下に往復運動する連係ロッド２３に代えて、伝動軸２１の回転動力がベベルギヤ機構（図示せず）により、上下向きの伝動軸（図示せず）（伝動部材に相当）に回転動力として伝達され、上下向きの伝動軸の回転動力がベベルギヤ機構（図示せず）により、伝動軸２２に回転動力として伝達されるように構成する。
【０１９１】
（５）
エンジン１７を機体の前部ではなく、運転座席３１の下側に備える。
このように構成すると、ダクト３６において第３ダクト部分５３を使用せず、第２ダクト部分５２の左右部５２ｄの開口部から、エンジン１７の付近の高温の空気を吸引するように構成してもよい。
【産業上の利用可能性】
【０１９２】
本発明は、粉粒状の肥料を田面に供給する施肥装置ばかりではなく、粉粒状の薬剤や種籾を田面に供給する粉粒体供給装置を備えた乗用型田植機に適用できる。
本発明は、種籾を田面に供給する直播装置（植播系作業装置に相当）を機体の後部に昇降自在に支持し、粉粒状の肥料や薬剤を田面に供給する粉粒体供給装置を備えた乗用型直播機（植播系水田作業機に相当）に適用できる。
【符号の説明】
【０１９３】
２                後輪
５                植播系作業装置
１１              粉粒体供給装置
１４              ブロア
１５              供給部
１６              ホース
１７              エンジン
２１              伝動軸
２３              伝動部材
３２              ステップ
３３              後部ステップ
３３ａ            開口部
３４              手摺り
３４ａ            前支柱
３４ｂ            後支柱
３９              運転部
５０              補助後輪
５１，５２，５３  ダクト部分
５１ｂ            ダクトにおける後部ステップの上側に位置する部分
５１ｃ            ダクトにおける後部ステップの横側部に位置する部分
５１ｄ            凸部
５１ｅ，５２ｇ    凹入部
５２ａ，５２ｂ    ダクトにおける後部ステップの下側に位置する部分
５２ｅ，５３ｃ    突出部
５３ｂ            ダクトにおけるステップの下側に位置する部分
５４              フレーム
５４ａ            重量軽減孔
５５              連結部材
【図１】
2016007151.tif 000003
【図２】
2016007151.tif 000004
【図３】
2016007151.tif 000005
【図４】
2016007151.tif 000006
【図５】
2016007151.tif 000007
【図６】
2016007151.tif 000008
【図７】
2016007151.tif 000009
【図８】
2016007151.tif 000010
【図９】
2016007151.tif 000011
【図１０】
2016007151.tif 000012
【図１１】
2016007151.tif 000013
【図１２】
2016007151.tif 000014
【図１３】
2016007151.tif 000015
【図１４】
2016007151.tif 000016
【図１５】
2016007151.tif 000017
【図１６】
2016007151.tif 000018
【図１７】
2016007151.tif 000019